(57)【特許請求の範囲】
【請求項１】
帯域間時分割複信（ＴＤＤ）キャリアアグリゲーション（ＣＡ）のためのハイブリッド自動再送要求肯定応答コードブックサイズ（ＨＡＲＱ−ＡＣＫコードブックサイズ）を決定するユーザ機器（ＵＥ）上のコンピュータ回路であって、
ＨＡＲＱ−ＡＣＫフィードバックを用いて、幾つかの下りリンクサブフレーム（ＤＬサブフレーム）を含む帯域間ＴＤＤ  ＣＡに対するＨＡＲＱバンドリングウィンドウを決定し、
前記ＨＡＲＱバンドリングウィンドウを第１の部分及び第２の部分に分割し、
前記第１の部分及び前記第２の部分に基づき、前記ＨＡＲＱ−ＡＣＫコードブックサイズを計算する
コンピュータ回路を有し、
前記第１の部分は、サービングセル上の上りリンクスケジューリングに対する下りリンク制御情報送信（ＤＣＩ送信）の送信中および前記ＤＣＩ送信よりも前に起こる、複数の設定されたサービングセルの複数のＤＬサブフレームを含み、前記第２の部分は、前記複数の設定されたサービングセルの前記ＤＣＩ送信の後に起こる複数の物理下りリンク共有チャネル（ＰＤＳＣＨ）サブフレームを含む
コンピュータ回路。
【請求項２】
物理上りリンク共有チャネル（ＰＵＳＣＨ）上の前記ＨＡＲＱ−ＡＣＫコードブックサイズは、
【数１５４】
0006038316.tif 000160
によって表され、ここで、
【数１５５】
0006038316.tif 000161
は複数の設定されたセルの数、
【数１５６】
0006038316.tif 000162
は、ＵＥが、ｃ番目のサービングセルに対してＨＡＲＱ−ＡＣＫビットをフィードバックする必要がある下りリンクサブフレームの数であり、ｃは非負整数であり、前記ｃ番目のサービングセルにおいて設定される送信モードが、１つのトランスポートブロック（ＴＢ）をサポートするか、または空間ＨＡＲＱ−ＡＣＫバンドリングが適用される場合、
【数１５７】
0006038316.tif 000163
であり、その他は、
【数１５８】
0006038316.tif 000164
である
請求項１に記載のコンピュータ回路。
【請求項３】
上りリンクグラントを運ぶサービングセルが、上りリンク−下りリンク（ＵＬ−ＤＬ）設定０でない場合、
【数１５９】
0006038316.tif 000165
であり、ここで、
【数１６０】
0006038316.tif 000166
は、第１の部分におけるＤＬサブフレームの数であり、
【数１６１】
0006038316.tif 000167
は第２の部分におけるＤＬサブフレームの数であり、Ｕは、複数の設定されたサービングセル間におけるＵｃの最大値を示し、Ｕｃは、複数の受信したＰＤＳＣＨと、前記ｃ番目のサービングセル上の前記第１の部分内のサブフレームｎ−ｋにおいて、下りリンクセミパーシステントスケジューリング（ＳＰＳ）リリースを示す複数の物理下りリンク制御チャネル（ＰＤＣＣＨ）と、の総数であり、段落００５０の表３において規定されるように、ｋ∈Ｋであり、
【数１６２】
0006038316.tif 000168
は、サブフレームｎ−ｋ´、ここでｋ´は段落００６３の表５において規定される、において、段落００６３の表６に従い、上りリンク制御情報（ＵＣＩ）がＰＵＳＣＨ上で送信される、前記サービングセルのＤＣＩフォーマット０または４における下りリンクアサインメントインデックス（ＤＡＩ）によって決定される
請求項２に記載のコンピュータ回路。
【請求項４】
前記上りリンクグラントを運ぶサービングセルが、上りリンク−下りリンク（ＵＬ−ＤＬ）設定０でない場合、
【数１６３】
0006038316.tif 000169
であり、ここで、
【数１６４】
0006038316.tif 000170
は、第１の部分におけるＤＬサブフレームの数であり、
【数１６５】
0006038316.tif 000171
は第２の部分におけるＤＬサブフレームの数であり、Ｕは、複数の設定されたサービングセル間におけるＵｃの最大値を示し、Ｕｃは、複数の受信したＰＤＳＣＨと、前記ｃ番目のサービングセル上の前記第１の部分内のサブフレームｎ−ｋにおいて、下りリンクセミパーシステントスケジューリング（ＳＰＳ）リリースを示す複数の物理下りリンク制御チャネル（ＰＤＣＣＨ）と、の総数であり、段落００５０の表３において規定されるように、ｋ∈Ｋであり、
【数１６６】
0006038316.tif 000172
である
請求項３に記載のコンピュータ回路。
【請求項５】
前記上りリンクグラントを運ぶサービングセルが、上りリンク−下りリンク（ＵＬ−ＤＬ）設定０であり、物理上りリンク制御チャネル（ＰＵＣＣＨ）フォーマット３が、ＨＡＲＱ−ＡＣＫの送信用に設定され、かつ、サブフレーム「ｎ」に対応するＤＣＩフォーマット０または４の、物理下りリンク制御チャネル（ＰＤＣＣＨ）が検出される場合、
【数１６７】
0006038316.tif 000173
であり、ここで、Ｍｃは、ＨＡＲＱ−ＡＣＫフィードバックに対するサブフレーム「ｎ」に関連付けられる、段落００５０の表３において規定されるようなセットＫ内の要素の数であり、前記セットＫは、通常の下りリンクサイクリックプレフィキシング（ＣＰ）を有するＵＬ−ＤＬ設定０及び５のスペシャルサブフレームを含まず、かつ、前記セットＫは、拡張された下りリンクＣＰを有するＵＬ−ＤＬ設定０及び４のスペシャルサブフレームを含まず、
そうでなければ、前記上りリンクグラントを運ぶサービングセルが、上りリンク−下りリンク（ＵＬ−ＤＬ）設定０であり、物理上りリンク制御チャネル（ＰＵＣＣＨ）フォーマット３が、ＨＡＲＱ−ＡＣＫの送信用に設定され、かつ、サブフレーム「ｎ」に対応するＤＣＩフォーマット０または４の、物理下りリンク制御チャネル（ＰＤＣＣＨ）が検出される場合、
【数１６８】
0006038316.tif 000174
であり、ここで、前記セットＫは、通常の下りリンクサイクリックプレフィキシング（ＣＰ）を有するＵＬ−ＤＬ設定０または５のスペシャルサブフレームを含むか、または、前記セットＫは、拡張された下りリンクＣＰを有するＵＬ−ＤＬ設定０または４のスペシャルサブフレームを含む
請求項３または４に記載のコンピュータ回路。
【請求項６】
さらに、前記第１の部分に対する、値
【数１６９】
0006038316.tif 000175
における下りリンクアサインメントインデックス（ＤＡＩ）情報を含むＤＣＩ送信において、前記上りリンクグラントを受信し、
前記ＤＣＩ送信は、ロングタームエボリューション（ＬＴＥ）ＤＣＩフォーマット０またはＤＣＩフォーマット４で送信される
請求項３から５の何れか一項に記載のコンピュータ回路。
【請求項７】
さらに、上りリンクスケジューリングに対して前記ＤＣＩによってスケジューリングされた、物理上りリンク共有チャネル（ＰＵＳＣＨ）を介して、ＨＡＲＱ−ＡＣＫコードブックを送信する
請求項１から６の何れか一項に記載のコンピュータ回路。
【請求項８】
ＨＡＲＱバンドリングウィンドウサイズＭｃを有する前記ＨＡＲＱバンドリングウィンドウは、段落００５０の表３において規定される前記ＨＡＲＱ−ＡＣＫフィードバックを運ぶ１つの上りリンク（ＵＬ）サブフレームに関連付けられる、１セットのＤＬサブフレームを含む
請求項１から７の何れか一項に記載のコンピュータ回路。
【請求項９】
前記ＵＥは、アンテナ、タッチセンシティブディスプレイ画面、スピーカ、マイク、グラフィクスプロセッサ、アプリケーションプロセッサ、内部メモリ、または不揮発性メモリポートを含む
請求項１に記載のコンピュータ回路。
【請求項１０】
ユーザ機器（ＵＥ）における、帯域間時分割複信（ＴＤＤ）キャリアアグリゲーション（ＣＡ）のためのハイブリッド自動再送要求肯定応答コードブックサイズ（ＨＡＲＱ−ＡＣＫコードブックサイズ）生成の方法であって、
ＨＡＲＱ−ＡＣＫフィードバックを用いて、少なくとも１つの下りリンクサブフレーム（ＤＬサブフレーム）を含む、帯域間ＴＤＤ  ＣＡに対する、物理下りリンク共有チャネルバンドリングウィンドウ（ＰＤＳＣＨバンドリングウィンドウ）を含む設定情報を受信する段階と、
前記ＰＤＳＣＨバンドリングウィンドウを、第１の部分と第２の部分と、に分割する段階と、
前記第１の部分及び前記第２の部分に基づき、前記ＨＡＲＱ−ＡＣＫコードブックサイズを生成する段階と、を備え、
前記第１の部分は、サービングセル上の上りリンクスケジューリングに対する下りリンク制御情報送信（ＤＣＩ送信）の送信中および前記ＤＣＩ送信よりも前に起こる、複数の設定されたサービングセル全ての、複数のＤＬサブフレームを含み、前記第２の部分は、前記複数の設定されたサービングセル全ての、前記ＤＣＩ送信の後に起こる複数の物理下りリンク共有チャネル（ＰＤＳＣＨ）サブフレームを含む
方法。
【請求項１１】
物理上りリンク共有チャネル（ＰＵＳＣＨ）上の前記ＨＡＲＱ−ＡＣＫコードブックサイズは、
【数１７０】
0006038316.tif 000176
によって表され、ここで、
【数１７１】
0006038316.tif 000177
は複数の設定されたセルの数、
【数１７２】
0006038316.tif 000178
は、ＵＥが、ｃ番目のサービングセルに対してＨＡＲＱ−ＡＣＫビットをフィードバックする必要がある下りリンクサブフレームの数であり、ｃは非負整数であり、前記ｃ番目のサービングセルにおいて設定される送信モードが、１つのトランスポートブロック（ＴＢ）をサポートするか、または空間ＨＡＲＱ−ＡＣＫバンドリングが適用される場合、
【数１７３】
0006038316.tif 000179
であり、その他は、
【数１７４】
0006038316.tif 000180
である
請求項１０に記載の方法。
【請求項１２】
前記ＤＣＩ送信が
【数１７５】
0006038316.tif 000181
値を含む場合、
【数１７６】
0006038316.tif 000182
であり、ここで、
【数１７７】
0006038316.tif 000183
は第１の部分におけるＤＬサブフレームの数であり、
【数１７８】
0006038316.tif 000184
は第２の部分におけるＤＬサブフレームの数であり、Ｕは、複数の設定されたサービングセル間におけるＵｃの最大値を示し、Ｕｃは、複数の受信したＰＤＳＣＨと、前記ｃ番目のサービングセル上の前記第１の部分内のサブフレームｎ−ｋにおいて、下りリンクセミパーシステントスケジューリング（ＳＰＳ）リリースを示す複数の物理下りリンク制御チャネル（ＰＤＣＣＨ）と、の総数であり、段落００５０の表３において規定されるように、ｋ∈Ｋであり、
【数１７９】
0006038316.tif 000185
は、サブフレームｎ−ｋ´、ここでｋ´は段落００６３の表５において規定される、において、段落００６３の表６に従い、上りリンク制御情報（ＵＣＩ）がＰＵＳＣＨ上で送信されるＤＣＩフォーマットにおける下りリンクアサインメントインデックス（ＤＡＩ）によって決定される
請求項１１に記載の方法。
【請求項１３】
前記ＤＣＩ送信が
【数１８０】
0006038316.tif 000186
値を含む場合、
【数１８１】
0006038316.tif 000187
であり、ここで、
【数１８２】
0006038316.tif 000188
は第１の部分におけるＤＬサブフレームの数であり、
【数１８３】
0006038316.tif 000189
は第２の部分におけるＤＬサブフレームの数であり、Ｕは、複数の設定されたサービングセル間におけるＵｃの最大値を示し、Ｕｃは、複数の受信したＰＤＳＣＨと、前記ｃ番目のサービングセル上の前記第１の部分内のサブフレームｎ−ｋにおいて、下りリンクセミパーシステントスケジューリング（ＳＰＳ）リリースを示す複数の物理下りリンク制御チャネル（ＰＤＣＣＨ）と、の総数であり、段落００５０の表３において規定されるように、ｋ∈Ｋであり、
【数１８４】
0006038316.tif 000190
である
請求項１１または１２に記載の方法。
【請求項１４】
前記ＤＣＩ送信が
【数１８５】
0006038316.tif 000191
値を含まない場合、
【数１８６】
0006038316.tif 000192
であり、ここで、
【数１８７】
0006038316.tif 000193
は、ＨＡＲＱ−ＡＣＫフィードバックに対するサブフレーム「ｎ」に関連付けられる、段落００５０の表３において規定されるようなセットＫ内の要素の数であり、前記セットＫはＰＤＳＣＨを含まず、
【数１８８】
0006038316.tif 000194
は、第１の部分のＤＬサブフレームの数であり、
【数１８９】
0006038316.tif 000195
は、第２の部分のＤＬサブフレームの数であり、
そうでなければ、前記ＤＣＩ送信が、
【数１９０】
0006038316.tif 000196
値を含まない場合、
【数１９１】
0006038316.tif 000197
であり、ここで前記セットＫはＰＤＳＣＨを含む
請求項１１から１３の何れか一項に記載の方法。
【請求項１５】
前記第１の部分に対する、値
【数１９２】
0006038316.tif 000198
内に下りリンクアサインメントインデックス（ＤＡＩ）情報を含むＤＣＩ送信において、上りリンクグラントを受信する段階を、さらに含み、
前記ＤＣＩ送信は、前記上りリンクグラントに用いられるＤＣＩフォーマットで送信される
請求項１０から１４の何れか一項に記載の方法。
【請求項１６】
物理上りリンク共有チャネル（ＰＵＳＣＨ）上の、上りリンク制御情報（ＵＣＩ）における、前記生成されたＨＡＲＱ−ＡＣＫコードブックサイズと共に、前記ＰＤＳＣＨバンドリングウィンドウの複数のＰＤＳＣＨサブフレームに対するＨＡＲＱ−ＡＣＫフィードバックを送信する段階をさらに含む
請求項１０から１５の何れか一項に記載の方法。
【請求項１７】
請求項１０から１６のいずれか一項に記載の方法をコンピュータに実行させるコンピュータプログラムコード手段を備えるコンピュータプログラム。
【請求項１８】
請求項１０から１６のいずれか一項に記載の方法をコンピュータに実行させるコンピュータプログラムコード手段を備えるコンピュータプログラムを記憶するコンピュータ可読記録媒体。
【請求項１９】
時分割複信（ＴＤＤ）キャリアアグリゲーション（ＣＡ）のためのハイブリッド自動再送要求肯定応答コードブックサイズ（ＨＡＲＱ−ＡＣＫコードブックサイズ）を計算するユーザ機器（ＵＥ）であって、
ＨＡＲＱ−ＡＣＫフィードバックを用いて、幾つかの下りリンクサブフレーム（ＤＬサブフレーム）を含む帯域間ＴＤＤ  ＣＡに対するＨＡＲＱバンドリングウィンドウを決定し、
前記ＨＡＲＱバンドリングウィンドウを、第１の部分と第２の部分と、に分割し、
前記第１の部分及び前記第２の部分、及びＤＣＩフォーマットに基づき、前記ＨＡＲＱ−ＡＣＫコードブックサイズを決定する
プロセッサを備え、
前記第１の部分は、サービングセル上の上りリンクスケジューリングに対する下りリンク制御情報送信（ＤＣＩ送信）の送信中および前記ＤＣＩ送信よりも前に起こる、複数の設定されたサービングセルの複数のＤＬサブフレームを含み、前記第２の部分は、前記複数の設定されたサービングセルの前記ＤＣＩ送信の後に起こる複数の物理下りリンク共有チャネル（ＰＤＳＣＨ）サブフレームを含む
ユーザ機器（ＵＥ）。
【請求項２０】
物理上りリンク共有チャネル（ＰＵＳＣＨ）上の前記ＨＡＲＱ−ＡＣＫコードブックサイズは、
【数１９３】
0006038316.tif 000199
によって表され、ここで、
【数１９４】
0006038316.tif 000200
は複数の設定されたセルの数、
【数１９５】
0006038316.tif 000201
は、ＵＥが、ｃ番目のサービングセルに対してＨＡＲＱ−ＡＣＫビットをフィードバックする必要がある下りリンクサブフレームの数であり、ｃは非負整数であり、前記ｃ番目のサービングセルにおいて設定される送信モードが、１つのトランスポートブロック（ＴＢ）をサポートするか、または空間ＨＡＲＱ−ＡＣＫバンドリングが適用される場合、
【数１９６】
0006038316.tif 000202
であり、その他は、
【数１９７】
0006038316.tif 000203
である
請求項１９に記載のＵＥ。
【請求項２１】
上りリンクグラントを運ぶサービングセルが、上りリンク−下りリンク（ＵＬ−ＤＬ）設定０でない場合、
【数１９８】
0006038316.tif 000204
であり、ここで、
【数１９９】
0006038316.tif 000205
は、第１の部分におけるＤＬサブフレームの数であり、
【数２００】
0006038316.tif 000206
は第２の部分におけるＤＬサブフレームの数であり、Ｕは、複数の設定されたサービングセル間におけるＵｃの最大値を示し、Ｕｃは、複数の受信したＰＤＳＣＨと、前記ｃ番目のサービングセル上の前記第１の部分内のサブフレームｎ−ｋにおいて、下りリンクセミパーシステントスケジューリング（ＳＰＳ）リリースを示す複数の物理下りリンク制御チャネル（ＰＤＣＣＨ）と、の総数であり、段落００５０の表３において規定されるように、ｋ∈Ｋであり、
【数２０１】
0006038316.tif 000207
は、サブフレームｎ−ｋ´、ここでｋ´は段落００６３の表５において規定される、において、段落００６３の表６に従い、上りリンク制御情報（ＵＣＩ）がＰＵＳＣＨ上で送信される、前記サービングセルのＤＣＩフォーマット０または４における下りリンクアサインメントインデックス（ＤＡＩ）によって決定される
請求項２０に記載のＵＥ。
【請求項２２】
前記上りリンクグラントを運ぶサービングセルが、上りリンク−下りリンク（ＵＬ−ＤＬ）設定０であり、物理上りリンク制御チャネル（ＰＵＣＣＨ）フォーマット３が、ＨＡＲＱ−ＡＣＫの送信用に設定され、かつ、サブフレーム「ｎ」に対応するＤＣＩフォーマット０または４の、物理下りリンク制御チャネル（ＰＤＣＣＨ）が検出される場合、
【数２０２】
0006038316.tif 000208
であり、ここで、Ｍｃは、ＨＡＲＱ−ＡＣＫフィードバックに対するサブフレーム「ｎ」に関連付けられる、段落００５０の表３において規定されるようなセットＫ内の要素の数であり、前記セットＫは、通常の下りリンクサイクリックのプレフィックス（ＣＰ）を有するＵＬ−ＤＬ設定０及び５のスペシャルサブフレームを含まず、かつ、前記セットＫは、拡張された下りリンクＣＰを有するＵＬ−ＤＬ設定０及び４のスペシャルサブフレームを含まず、
そうでなければ、前記上りリンクグラントを運ぶサービングセルが、上りリンク−下りリンク（ＵＬ−ＤＬ）設定０であり、物理上りリンク制御チャネル（ＰＵＣＣＨ）フォーマット３が、ＨＡＲＱ−ＡＣＫの送信用に設定され、かつ、サブフレーム「ｎ」に対応するＤＣＩフォーマット０または４の、物理下りリンク制御チャネル（ＰＤＣＣＨ）が検出される場合、
【数２０３】
0006038316.tif 000209
であり、ここで、前記セットＫは、通常の下りリンクサイクリックのプレフィックス（ＣＰ）を有するＵＬ−ＤＬ設定０または５のスペシャルサブフレームを含むか、または、前記セットＫは、拡張された下りリンクＣＰを有するＵＬ−ＤＬ設定０または４のスペシャルサブフレームを含む
請求項２１に記載のＵＥ。
【請求項２３】
前記第１の部分に対する、値
【数２０４】
0006038316.tif 000210
における下りリンクアサインメントインデックス（ＤＡＩ）情報を含むＤＣＩ送信において、前記上りリンクグラントを受信するトランシーバをさらに備え、
前記ＤＣＩ送信は、前記上りリンクグラントに用いられたＤＣＩフォーマットで送信される
請求項２１または２２に記載のＵＥ。
【請求項２４】
上りリンクスケジューリングに対して前記ＤＣＩによってスケジューリングされた、物理上りリンク共有チャネル（ＰＵＳＣＨ）を介して、ＨＡＲＱ−ＡＣＫコードブックをノードへ送信するトランシーバをさらに備え、
前記ノードは、基地局（ＢＳ），ノードＢ（ＮＢ）、発展型ノードＢ（ｅＮＢ）、ベースバンドユニット（ＢＢＵ）、遠隔無線ヘッド（ＲＲＨ）、遠隔無線機器（ＲＲＥ）、遠隔無線ユニット（ＲＲＵ）、及び中央処理モジュール（ＣＰＭ）から成る群から選択される
請求項１９から２３の何れか一項に記載のＵＥ。
【発明の詳細な説明】
【技術分野】
【０００１】
［関連出願の相互参照］
本願は、代理人整理番号Ｐ４６４３６Ｚの、２０１２年７月２７日出願の米国仮特許出願第６１／６７６，７７５号の利益を主張し、これにより参照として組み込む。
【背景技術】
【０００２】
無線移動通信技術は、様々な規格及びプロトコルを用いて、ノード（例えば、送信局）と無線デバイス（例えば、モバイルデバイス）との間でデータを送信する。無線デバイスの中には、下りリンク（ＤＬ）送信で直交周波数分割多重アクセス（ＯＦＤＭＡ）を、及び、上りリンク（ＵＬ）送信でシングルキャリア周波数分割多重アクセス（ＳＣ−ＦＤＭＡ）を用いて通信するものもある。  信号送信に直交周波数分割多重（ＯＦＤＭ）を用いる規格及びプロトコルには、第３世代パートナーシッププロジェクト（３ＧＰＰ）ロングタームエボリューション（ＬＴＥ）、業界団体にはＷｉＭＡＸ（ワールドワイド・インターオペラビリティ・フォー・マイクロウェーブ・アクセス）として公知の、米国電気電子学会（ＩＥＥＥ）８０２．１６規格（例えば、８０２．１６ｅ、８０２．１６ｍ）、及び、業界団体にはＷｉＦｉとして公知の、ＩＥＥＥ８０２．１１規格がある。
【０００３】
３ＧＰＰ無線アクセスネットワーク（ＲＡＮ）ＬＴＥシステムにおいて、ノードは、ユーザ機器（ＵＥ）として既知の無線デバイスと通信する、発展型ユニバーサル地上無線アクセスネットワーク（Ｅ−ＵＴＲＡＮ）ノードＢ（一般に、発展型ノードＢ、拡張型ノードＢ、ｅＮｏｄｅＢ、またはｅＮＢとも表される）、及び、無線ネットワークコントローラ（ＲＮＣ）の組み合わせであり得る。下りリンク（ＤＬ）送信はノード（例えば、ｅＮｏｄｅＢ）から無線デバイス（例えば、ＵＥ）への通信であり得て、上りリンク（ＵＬ）送信は無線デバイスからノードへの通信であり得る。
【０００４】
ＬＴＥにおいて、データは、物理下りリンク共有チャネル（ＰＤＳＣＨ）を介して、ｅＮｏｄｅＢからＵＥへ送信され得る。物理上りリンク制御チャネル（ＰＵＣＣＨ）または物理上りリンク共有チャネル（ＰＵＳＣＨ）は、データを受信したという送達確認に用いられ得る。下りリンクチャネル及び上りリンクチャネル、または下りリンク送信及び上りリンク送信は、時分割複信（ＴＤＤ）または周波数分割複信（ＦＤＤ）を使用し得る。時分割複信（ＴＤＤ）は、下りリンク信号と上りリンク信号とを分ける時分割多重（ＴＤＭ）の応用である。ＴＤＤにおいては、下りリンク信号及び上りリンク信号は、同じキャリア周波数（すなわち、共有キャリア周波数）で運ばれ得る。下りリンク信号は上りリンク信号とは異なる時間間隔を使用するので、下りリンク信号及び上りリンク信号は互いに干渉を生じない。ＴＤＭは、デジタル多重化の一タイプであって、下りリンクまたは上りリンクなどの、２以上のビットストリームまたは信号が、一通信チャネルのサブチャネルのように、一見同時に伝送されているように見えるが、物理的には異なるリソースで送信される。周波数分割複信（ＦＤＤ）においては、上りリンク送信及び下りリンク送信は異なる周波数キャリア（すなわち、各送信方向に対して別個のキャリア周波数）を用いて動作し得る。ＦＤＤにおいて、下りリンク信号は上りリンク信号とは異なる周波数キャリアを用いるので、干渉は回避できる。
【図面の簡単な説明】
【０００５】
後に続く詳細な説明を、本開示の特徴を例として共に図示する添付の図面と併せ読むことによって、本開示の特徴及び利点が明らかになるであろう。
【０００６】
【図１】ある例による、様々なコンポーネントキャリア（ＣＣ）帯域幅のブロック図を図示する。
【０００７】
【図２Ａ】ある例による、複数の隣接するコンポーネントキャリアのブロック図を図示する。
【０００８】
【図２Ｂ】ある例による、帯域内の非隣接コンポーネントキャリアのブロック図を図示する。
【０００９】
【図２Ｃ】ある例による、帯域間の非隣接コンポーネントキャリアのブロック図を図示する。
【００１０】
【図３Ａ】ある例による、対称−非対称キャリアアグリゲーション設定のブロック図を図示する。
【００１１】
【図３Ｂ】ある例による、非対称−対称キャリアアグリゲーション設定のブロック図を図示する。
【００１２】
【図４】ある例による、レガシー物理下りリンク制御チャネル（ＰＤＣＣＨ）を含む、下りリンク無線フレームリソース（例えば、下りリンクリソースグリッド）の図を図示する。
【００１３】
【図５】ある例による、上りリンク無線フレームリソース（例えば、上りリンクリソースグリッド）のブロック図を図示する。
【００１４】
【図６】ある例による、セカンダリセル（ＳＣｅｌｌ）の物理下りリンク共有チャネル（ＰＤＳＣＨ）ハイブリッド自動再送要求肯定応答（ＨＡＲＱ−ＡＣＫ）タイミング参照の上りリンク−下りリンク（ＵＬ−ＤＬ）設定数の表（すなわち表４）を図示する。
【００１５】
【図７】ある例による、物理下りリンク共有チャネル（ＰＤＳＣＨ）バンドリングウィンドウ内の、上りリンク（ＵＬ）グラントを含む下りリンクサブフレームの位置を図示する。
【００１６】
【図８Ａ】ある例による、送信モード４（ＴＭ４）でスケジューリングされた物理上りリンク共有チャネル（ＰＵＳＣＨ）に相乗りするハイブリッド自動再送要求肯定応答（ＨＡＲＱ−ＡＣＫ）コードブックを図示する。
【００１７】
【図８Ｂ】ある例による、図８Ａに図示した物理上りリンク共有チャネル（ＰＵＳＣＨ）に対するハイブリッド自動再送要求肯定応答（ＨＡＲＱ−ＡＣＫ）ビットの生成を図示する。
【００１８】
【図９】ある例による、帯域間時分割複信（ＴＤＤ）キャリアアグリゲーション（ＣＡ）のためのハイブリッド自動再送要求肯定応答（ＨＡＲＱ−ＡＣＫ）決定の潜在的な問題（例えば、異なるＵＬ−ＤＬ設定）を図示する。
【００１９】
【図１０】ある例による、帯域間時分割複信（ＴＤＤ）キャリアアグリゲーション（ＣＡ）のためのハイブリッド自動再送要求肯定応答（ＨＡＲＱ−ＡＣＫ）フィードバックのモデルを図示する。
【００２０】
【図１１】ある例による、物理上りリンク共有チャネル（ＰＵＳＣＨ）上のハイブリッド自動再送要求肯定応答（ＨＡＲＱ−ＡＣＫ）コードブックサイズの決定を図示する。
【００２１】
【図１２】ある例による、ユーザ機器（ＵＥ）における、帯域間時分割複信（ＴＤＤ）キャリアアグリゲーション（ＣＡ）のためのハイブリッド自動再送要求肯定応答（ＨＡＲＱ−ＡＣＫ）コードブックサイズの生成方法のフローチャートを示す。
【００２２】
【図１３】ある例による、帯域間時分割複信（ＴＤＤ）キャリアアグリゲーション（ＣＡ）のためのハイブリッド自動再送要求肯定応答（ＨＡＲＱ−ＡＣＫ）コードブックサイズを決定するよう動作可能なユーザ機器（ＵＥ）のコンピュータ回路の機能を示す。
【００２３】
【図１４】ある例による、サービングノード、協調ノード、及び無線デバイス（例えば、ＵＥ）のブロック図を図示する。
【００２４】
【図１５】ある例による、無線デバイス（例えば、ＵＥ）の図を図示する。
【００２５】
これより図示された複数の代表的実施形態を参照し、それを説明すべく本明細書中で具体的な専門用語を用いる。  しかしながら、それによって本発明の範囲が限定されないことが企図されることを理解されたい。
【発明の概要】
【課題を解決するための手段】
【００２６】
本発明の開示及び説明前に、本発明は、本明細書中に開示される特定の構造、プロセスの段階、または材料に限定されず、しかし、関連技術の当業者には認識されるであろうように、等価なものに拡張される。本明細書中で使用される専門用語は、特定の例を説明する目的にのみ使用されるのであり、限定する意図はないことも理解されるべきである。異なる図面における同じ参照番号は、同じ要素を表す。フローチャート及びプロセスにおいて付される数字は、段階及びオペレーションの説明を明確にするために付されるのであり、必ずしも、特定の順序またはシーケンスを示すものではない。
【００２７】
特記しない限り、本明細書中で３ＧＰＰ  ＬＴＥ規格から引用する全ての表は、３ＧＰＰ  ＬＴＥ規格のリリース１１から提供されるものである。
【発明を実施するための形態】
【００２８】
[例示的実施形態]
技術の実施形態の概要が、初めに以下に提供され、次に具体的な技術の実施形態が後でさらに詳しく説明される。この初めの概要は、当該技術に対する読者の理解を助けることを意図し、当該技術の重要な特徴または本質的な特徴を特定することも、特許請求される発明の主題の範囲を限定することも意図しない。
【００２９】
無線データの送信量の増大は、免許帯域を使用し、スマートフォン及びタブレットデバイスなどの無線デバイスに無線通信サービスを提供する無線ネットワークにおける輻輳を生んだ。この輻輳は、都市部及び大学などの密度及び使用度の高い場所で特に顕著である。
【００３０】
無線デバイスに追加的な帯域幅容量を提供する一技術は、複数のより狭い帯域幅のキャリアアグリゲーションを使用して仮想の広域帯チャネルを無線デバイス（例えばＵＥ）に形成することによるものである。キャリアアグリゲーション（ＣＡ）において、複数のコンポーネントキャリア（ＣＣ）は、単一ターミナルへ／からの送信のために、集約され、組み合わせて用いられ得る。キャリアは、情報が配置される、許される周波数領域における信号であり得る。キャリア上に配置され得る情報量は、周波数領域の、集約されたキャリアの帯域幅によって決定され得る。許される周波数領域は帯域幅に制限があることが多い。帯域幅の制限は、多数のユーザが許される周波数領域においてその帯域幅を同時に使用するときに、より厳しくなり得る。
【００３１】
図１に、無線デバイスが用いることができるキャリア帯域幅、信号帯域幅またはコンポーネントキャリア（ＣＣ）を図示する。例えば、ＬＴＥ  ＣＣ帯域幅は、１．４ＭＨｚ  ２１０、３ＭＨｚ  ２１２、５ＭＨｚ  ２１４、１０ＭＨｚ  ２１６、１５ＭＨｚ  ２１８、２０ＭＨｚ  ２２０、を含み得る。１．４ＭＨｚのＣＣは、７２個のサブキャリアを備える、６個のリソースブロック（ＲＢ）を含み得る。３ＭＨｚのＣＣは、１８０個のサブキャリアを備える、１５個のＲＢを含み得る。５ＭＨｚのＣＣは、３００個のサブキャリアを備える、２５個のＲＢを含み得る。１０ＭＨｚのＣＣは、６００個のサブキャリアを備える、５０個のＲＢを含み得る。１５ＭＨｚのＣＣは、９００個のサブキャリアを備える、７５個のＲＢを含み得る。２０ＭＨｚのＣＣは、１２００個のサブキャリアを備える、１００個のＲＢを含み得る。
【００３２】
キャリアアグリゲーション（ＣＡ）によって、複数のキャリア信号を、ユーザの無線デバイスとノードとの間で同時に通信可能である。複数の異なるキャリアを使用できる。幾つかの例において、キャリアは、異なる、許される周波数領域からのものであってよい。キャリアアグリゲーションは、より広い帯域幅の獲得を可能にしながら、無線デバイスの選択の幅をより広げる。ビデオストリーミング、または大きいデータファイルの通信などの、帯域幅を集中的に使用するオペレーションを通信すべく、より広い帯域幅を使用できる。
【００３３】
図２Ａに、連続するキャリアのキャリアアグリゲーションの例を図示する。この例においては、３つのキャリアは周波数帯域に沿って連続的に位置する。各キャリアをコンポーネントキャリアと呼ぶことができる。連続したタイプのシステムにおいて、コンポーネントキャリアは互いに隣接して位置し、一般的に単一周波数帯域（例えば、帯域Ａ）内に位置し得る。周波数帯域は、電磁スペクトル内の選択された周波数範囲であり得る。選択された周波数帯域は、無線電話などの無線通信での使用のために指定される。無線サービスプロバイダは、特定の周波数帯域を所有またはリースしている。各隣接するコンポーネントキャリアは、同じ帯域幅、または異なる帯域幅を有し得る。帯域幅は、周波数帯域の選択された一部分である。無線電話は、従来、単一周波数帯域内で行われてきた。隣接するキャリアアグリゲーションにおいては、１つの高速フーリエ変換（ＦＦＴ）モジュール、及び／または1つの無線フロントエンドのみが使用され得る。この隣接するコンポーネントキャリアは、似たレポート及び／または処理モジュールを使用可能な、似た伝播特性を有し得る。
【００３４】
図２Ｂ−２Ｃに、非隣接コンポーネントキャリアのキャリアアグリゲーションの例を図示する。非隣接コンポーネントキャリアは、周波数範囲に沿って分散している。各コンポーネントキャリアは異なる周波数帯域に位置することすらあり得る。非隣接キャリアアグリゲーションは、断片的な帯域を集約できる。図２Ｂに図示するように、帯域内（または単一帯域）非隣接キャリアアグリゲーションは、同じ周波数帯域（例えば、帯域Ａ）内で非隣接キャリアアグリゲーションを提供する。図２Ｃに図示するように、帯域間（または複数帯域）非隣接キャリアアグリゲーションは、異なる周波数帯域（例えば、帯域Ａ、Ｂ及びＣ）内で非隣接キャリアアグリゲーションを提供する。異なる周波数帯域においてコンポーネントキャリアを使用可能なことで、利用可能な帯域幅の、より効率的な使用を可能にし、集約データのスループットを向上させる。
【００３５】
ネットワーク対称（または非対称）キャリアアグリゲーションは、セクタ内のネットワークによって提供される、幾つかの下りリンク（ＤＬ）コンポーネントキャリア及び上りリンク（ＵＬ）コンポーネントキャリアによって規定され得る。ＵＥ対称（または非対称）キャリアアグリゲーションはＵＥのために設定された、幾つかの下りリンク（ＤＬ）コンポーネントキャリア及び上りリンク（ＵＬ）コンポーネントキャリアによって規定され得る。ＤＬ  ＣＣの数は、少なくともＵＬ  ＣＣの数であり得る。システム情報ブロックタイプ２（ＳＩＢ２）はＤＬとＵＬとの間に特定のリンキングを提供する。図３Ａに、対称−非対称キャリアアグリゲーション設定のブロック図を図示する。キャリアアグリゲーションは、ネットワークにとっては、ＤＬとＵＬとの間で対称であり、ＵＥにとっては、ＤＬとＵＬとの間で非対称である。図３Ｂに、非対称−対称キャリアアグリゲーション設定のブロック図を図示する。キャリアアグリゲーションは、ネットワークにとっては、ＤＬとＵＬとの間で非対称であり、ＵＥにとっては、ＤＬとＵＬとの間で対称である。
【００３６】
各ＵＥについて、ＣＣはプライマリセル（ＰＣｅｌｌ）として規定され得る。異なるＵＥは、必ずしもそれらのＰＣｅｌｌと同じＣＣを使用する必要はない。ＰＣｅｌｌは、ＵＥにとってはアンカーキャリアとみなされ得て、故にＰＣｅｌｌは、無線リンク障害のモニタリング、ハイブリッド自動再送要求肯定応答（ＨＡＲＱ−ＡＣＫ）、及びＰＵＣＣＨリソース割当（ＲＡ）などの制御信号機能に用いられ得る。２以上のＣＣがＵＥに設定される場合、追加のＣＣは、そのＵＥのセカンダリセル（ＳＣｅｌｌ）と表され得る。
【００３７】
コンポーネントキャリアは、図４に図示するように、一般的なロングタームエボリューション（ＬＴＥ）フレーム構造を用いてノード（例えば、ｅＮｏｄｅＢ）と無線デバイス（例えば、ＵＥ）との間の下りリンク送信における物理（ＰＨＹ）層上で送信される無線フレーム構造を介してチャネル情報を運ぶべく用いられ得る。別の例において、コンポーネントキャリアは、図５に図示するように、一般的なロングタームエボリューション（ＬＴＥ）フレーム構造を用いてノード（例えば、ｅＮｏｄｅＢ）と無線デバイス（例えば、ＵＥ）との間の上りリンク送信においてＰＨＹ層上で送信される無線フレーム構造を介してチャネル情報を運ぶべく用いられ得る。ＬＴＥフレーム構造が図示されるが、ＩＥＥＥ８０２．１６規格（ＷｉＭＡＸ）、ＩＥＥＥ８０２．１１規格（ＷｉＦｉ）のフレーム構造、または、ＳＣ−ＦＤＭＡまたはＯＦＤＭＡを用いる別のタイプの通信規格のフレーム構造も用いられ得る。
【００３８】
図４に、下りリンク無線フレーム構造タイプ２を図示する。この例において、データを送信するために用いる信号の無線フレーム４００は、１０ミリ秒（ｍｓ）の持続時間、Ｔｆ、を有するべく設定され得る。各無線フレームは、各々が１ｍｓの長さである、１０個のサブフレーム４１０ｉに区切られ、分割され得る。各サブフレームは、各々が０．５ｍｓの持続時間、Ｔｓｌｏｔを有する、２個のスロット４２０ａおよび４２０ｂにさらに細分され得る。１番目のスロット（＃０）４２０ａは、レガシー物理下りリンク制御チャネル（ＰＤＣＣＨ）１６０及び／または物理下りリンク共有チャネル（ＰＤＳＣＨ）４６６を含み得て、２番目のスロット（＃１）４２０ｂは、ＰＤＳＣＨを用いて送信されるデータを含み得る。
【００３９】
ノード及び無線デバイスが用いるコンポーネントキャリア（ＣＣ）に対する各スロットは、ＣＣ周波数帯域幅に基づき、複数のリソースブロック（ＲＢ）４３０ａ、４３０ｂ、４３０ｉ、４３０ｍ、及び４３０ｎを含む。ＣＣは、帯域幅及び中心周波数を有するキャリア周波数を有し得る。ＣＣの各サブフレームは、レガシーＰＤＣＣＨに見られる下りリンク制御情報（ＤＣＩ）を含み得る。制御領域におけるレガシーＰＤＣＣＨは、レガシーＰＤＣＣＨが用いられる場合は、各サブフレームまたはＲＢに、１番目のＯＦＤＭシンボルの１から３のカラムを含み得る。サブフレーム内の、残りの１１から１３のＯＦＤＭシンボル（または、レガシーＰＤＣＣＨが用いられない場合は、１１から１４のＯＦＤＭシンボル）は、データに対して（短いまたは通常のサイクリックプレフィクスに対して）ＰＤＳＣＨに割り当てられ得る。
【００４０】
制御領域は、物理制御フォーマット指標チャネル（ＰＣＦＩＣＨ）、物理ハイブリッド自動再送要求（ｈｙｂｒｉｄ−ＡＲＱ）指標チャネル（ＰＨＩＣＨ）、及びＰＤＣＣＨを含み得る。制御領域は、不必要なオーバーヘッドを回避すべく、柔軟に制御するデザインを有する。ＰＤＣＣＨに用いられる制御領域内のＯＦＤＭシンボルの数は、物理制御フォーマット指標チャネル（ＰＣＦＩＣＨ）において送信される制御チャネルフォーマット指標（ＣＦＩ）によって決定され得る。ＰＣＦＩＣＨは、各サブフレームの１番目のＯＦＤＭシンボルに配置され得る。ＰＣＦＩＣＨ及びＰＨＩＣＨは、ＰＤＣＣＨよりも高い優先度を有し得るので、ＰＣＦＩＣＨ及びＰＨＩＣＨはＰＤＣＣＨよりも先にスケジューリングされる。
【００４１】
各ＲＢ４３０ｉ（物理ＲＢすなわちＰＲＢ）は、１スロットにつき、１２−１５ｋＨｚのサブキャリア４３６（周波数軸上に）、及び６または７個の直交周波数分割多重（ＯＦＤＭ）シンボル４３２（時間軸上に）を含み得る。ＲＢは、短い、または通常のサイクリックプレフィクス（ＣＰ）が使用される場合は、７個のＯＦＤＭシンボルを用い得る。ＲＢは、拡張されたサイクリックプレフィックス（ＣＰ）が使用される場合は、６個のＯＦＤＭシンボルを用い得る。リソースブロックは、短い、または通常のサイクリックプレフィキシングを用いて、８４個のリソース要素（ＲＥ）４４０ｉにマッピングされ得て、または、リソースブロックは、拡張されたサイクリックプレフィキシングを用いて、７２個のＲＥ（図示せず）にマッピングされ得る。ＲＥは、1ＯＦＤＭシンボル４４２×１サブキャリア（すなわち、１５ｋＨｚ）４４６のユニットであり得る。
【００４２】
各ＲＥは、４位相偏移変調（ＱＰＳＫ）変調ケースでは、４５０ａおよび４５０ｂの２ビットの情報を送信し得る。１６直交振幅変調（ＱＡＭ）または６４ＱＡＭなどの他のタイプの変調を使用して、各ＲＥにおいてより大きな数のビットを送信してもよいし、または２位相偏移変調（ＢＰＳＫ）変調を用いて、各ＲＥにおいてより少ない数のビット（単一ビット）を送信してもよい。ＲＢは、ｅＮｏｄｅＢからＵＥへの下りリンク送信用に設定され得て、またはＲＢは、ＵＥからｅＮｏｄｅＢへの上りリンク送信用に設定され得る。
【００４３】
物理下りリンク共有チャネル（ＰＤＳＣＨ）上でのデータの通信は、物理下りリンク制御チャネル（ＰＤＣＣＨ）と呼ばれる制御チャネルを介して制御され得る。ＰＤＣＣＨは、下りリンク（ＤＬ）リソース割当及び上りリンク（ＵＬ）リソースアサインメント（例えば、ＵＬグラント）、送信電力コマンド、及びページングインジケータのために使用され得る。ＰＤＣＣＨ上で運ばれるデータは、下りリンク制御情報（ＤＣＩ）と呼ばれ得る。
【００４４】
ＤＣＩは様々なフォーマットを有し、リソース割当を規定する。例えば、ＬＴＥにおいて、ＤＣＩフォーマット０は、ＰＵＳＣＨのスケジューリング、及びＵＬ電力制御用の送信電力制御（ＴＰＣ）コマンドに使用され得る、上りリンク共有チャネル（ＵＬ−ＳＣＨ）割当またはアサインメント（例えば、ＵＬグラント）の送信に用いられ得る。ＤＣＩフォーマット１は、単一入力複数出力（ＳＩＭＯ）動作のためのＰＤＳＣＨを送信可能な、単一アンテナ動作のための下りリンク共有チャネル（ＤＬ−ＳＣＨ）アサインメントの送信に用いられ得る。ＤＣＩフォーマット１Ａは、単一アンテナ（例えば、ＳＩＭＯ）動作、ＳＩＭＯ動作のための割当またはランダムアクセスのためのＵＥに対する専用プリアンブルシグネチャの割当、またはＵＬ電力制御、のためのＤＬ−ＳＣＨアサインメントのコンパクト送信に用いられ得る。ＤＣＩフォーマット１Ｂは、連続的なリソース割当の可能性のある複数入力複数出力（ＭＩＭＯ）閉ループ（ＣＬ）単一ランク送信をサポートするための、プリコーディング情報を含む、コンパクトスケジューリング、またはリソースアサインメントのために用いられ得る。ＤＣＩフォーマット１Ｃは、ページング、ランダムアクセスチャネル（ＲＡＣＨ）応答、及び動的ブロードキャスト制御チャネル（ＢＣＣＨ）スケジューリングの下りリンク送信をサポートするための、ＰＤＳＣＨのためのリソース割当の非常にコンパクトなスケジューリングのためのものであり得る。ＤＣＩフォーマット１Ｄは、ＤＣＩフォーマット１Ｂと類似し得て、追加的な電力オフセット情報を伴う。ＤＣＩフォーマット２は、ＣＬ  ＤＬ  ＭＩＭＯ及びＵＬ電力制御のために用いられ得る、ＭＩＭＯ動作のためのＤＬ−ＳＣＨアサインメントの送信をサポートするために用いられる、プリコーディング及び電力オフセット情報を含む、コンパクトなＤＬ−ＳＣＨ割当及びスケジューリングのためのものである。ＤＣＩフォーマット２Ａは、ＭＩＭＯ動作のためのＤＬ−ＳＣＨアサインメントの送信のサポートに用いられる、プリコーディング及び電力オフセット情報を伴った、コンパクトなＤＬ−ＳＣＨ割当及びスケジューリングであり、それは開ループ（ＯＬ）  ＤＬ  ＭＩＭＯ及びＵＬ電力制御のために用いられ得る。ＤＣＩフォーマット２Ｃおよび２Ｄもまた、ＭＩＭＯ動作のためのＤＬ−ＳＣＨアサインメントの送信のために用いられ得る。ＤＣＩフォーマット３は、２ビットの電力調整（複数のＵＥのために）を有する、上りリンクチャネル（例えば、ＰＵＣＣＨ及びＰＵＳＣＨ）のためのＴＰＣコマンドの送信に用いられ得る。ＤＣＩフォーマット３Ａは、１ビットの電力調整（複数のＵＥのために）を有する、上りリンクチャネル（例えば、ＰＵＣＣＨ及びＰＵＳＣＨ）のためのＴＰＣコマンドの送信に用いられ得る。ＰＵＳＣＨ送信をかなえるために用いられるＤＣＩフォーマットは、ＤＣＩフォーマット０及びＤＣＩフォーマット４により提供され、共通の挙動が扱われる場合は、上りリンクＤＣＩフォーマットと呼ばれることもある。
【００４５】
下りリンクの様々なシナリオもまた、異なる送信モード（ＴＭ）において考察され得る。例えば、ＬＴＥにおいて、ＴＭ１は単一送信アンテナを使用し得て、ＴＭ２は送信ダイバーシティを使用し得て、ＴＭ３は循環遅延ダイバーシティ（ＣＤＤ）と共に開ループ空間多重化を使用し得て、ＴＭ４は閉ループ空間多重化を使用し得て、ＴＭ５はマルチユーザＭＩＭＯ（ＭＵ−ＭＩＭＯ）を使用し得て、ＴＭ６は単一送信層を用いた閉ループ空間多重化を使用し得て、ＴＭ７はＵＥ固有ＲＳと共にビームフォーミングを使用し得て、ＴＭ８は、ＵＥ固有ＲＳと共に単一または二層のビームフォーミングを使用し得て、ＴＭ９はマルチ送信層を用いて閉ループ単一ユーザＭＩＭＯ（ＳＵ−ＭＩＭＯ）またはキャリアアグリゲーションをサポートし得る。例えば、ＴＭ１０は、ジョイント処理（ＪＰ）、ダイナミックポイントセレクション（ＤＰＳ）、及び／または協調スケジューリング／協調ビームフォーミング（ＣＳ／ＣＢ）などの、協調マルチポイント（ＣｏＭＰ）シグナリングに用いられ得る。
【００４６】
図５に、上りリンク無線フレーム構造を図示する。同様な構造が、ＯＦＤＭＡを用いた下りリンク無線フレーム構造に用いられ得る（図４に示すように）。この例において、制御情報またはデータの送信に用いられる信号の無線フレーム１００は、１０ミリ秒（ｍｓ）の持続時間、Ｔｆ、を有するように設定され得る。各無線フレームは、各々が１ｍｓの長さである、１０個のサブフレーム１１０ｉに区切られ、分割され得る。各サブフレームは、各々が０．５ｍｓの持続時間、Ｔｓｌｏｔ、を有する、２個のスロット１２０ａおよび１２０ｂにさらに細分され得る。無線デバイス及びノードが用いるコンポーネントキャリア（ＣＣ）の各スロットは、ＣＣ周波数帯域幅に基づき、複数のリソースブロック（ＲＢ）１３０ａ、１３０ｂ、１３０ｉ、１３０ｍ、及び１３０ｎを含み得る。各ＲＢ（物理ＲＢすなわちＰＲＢ）１３０ｉは、１サブキャリアにつき、１２−１５ｋＨｚのサブキャリア１３６（周波数軸上に）、及び６または７個のＳＣ−ＦＤＭＡシンボル１３２（時間軸上に）を含み得る。ＲＢは、短い、または通常のサイクリックプレフィクスが使用される場合は、７個のＳＣ−ＦＤＭＡシンボルを用い得る。ＲＢは、拡張されたサイクリックプレフィックスが使用される場合は、６個のＳＣ−ＦＤＭＡシンボルを用い得る。リソースブロックは、短い、または通常のサイクリックプレフィキシング（ＣＰ）を用いて８４個のリソース要素（ＲＥ）１４０ｉにマッピングされ得て、または、リソースブロックは、拡張されたサイクリックプレフィキシング（ＣＰ）を用いて７２個のＲＥ（図示せず）にマッピングされ得る。ＲＥは、1ＳＣ−ＦＤＭＡシンボル１４２×１サブキャリア（すなわち、１５ｋＨｚ）１４６のユニットであり得る。各ＲＥは、４位相偏移変調（ＱＰＳＫ）変調のケースでは、１５０ａおよび１５０ｂの２ビットの情報を送信し得る。１６直交振幅変調（ＱＡＭ）または６４ＱＡＭなどの他のタイプの変調を使用して、各ＲＥにおいてより大きな数のビットを送信してもよいし、または２位相偏移変調（ＢＰＳＫ）変調を用いて、各ＲＥにおいてより少ない数のビット（単一ビット）を送信してもよい。ＲＢは、無線デバイスからノードへの上りリンク送信用に設定され得る。
【００４７】
上りリンク信号またはチャネルはデータを物理上りリンク共有チャネル（ＰＵＳＣＨ）上に、または制御情報を物理上りリンク制御チャネル（ＰＵＣＣＨ）上に含み得る。ＬＴＥにおいて、上りリンク制御情報（ＵＣＩ）を運ぶ上りリンク物理チャネル（ＰＵＣＣＨ）は、チャネル状態情報（ＣＳＩ）レポート、ハイブリッド自動再送要求（ＨＡＲＱ）肯定応答／否定応答（ＡＣＫ／ＮＡＣＫ）及び上りリンクスケジューリングリクエスト（ＳＲ）を含み得る。
【００４８】
無線デバイス（例えば、ＵＥ）は、ＰＵＣＣＨを用いて、ＰＤＳＣＨに対するＨＡＲＱ−ＡＣＫフィードバックを提供し得る。ＬＴＥ用として表1に示すように、ＰＵＣＣＨは、様々な変調及び符号化スキーム（ＭＣＳ）を伴った複数のフォーマット（ＰＵＣＣＨフォーマット）をサポートし得る。表１と同様の情報を、３ＧＰＰ  ＬＴＥ規格リリース１１（例えば、Ｖ１１．１．０（２０１２−１２））技術仕様書（ＴＳ）３６．２１１  表５．４−１に見ることができる。例えば、ＰＵＣＣＨフォーマット３は、キャリアアグリゲーションに用いられ得る、４８ビットのＨＡＲＱ−ＡＣＫを伝達するために用いられ得る。
【表１】
0006038316.tif 000002
【００４９】
レガシーＬＴＥ  ＴＤＤは、７つの異なる半静的に設定された上りリンク−下りリンク設定を提供することにより、非対称なＵＬ−ＤＬ割当をサポートし得る。表２に、ＬＴＥに用いられる、７つのＵＬ−ＤＬ設定を図示する。ここで、「Ｄ」は下りリンクサブフレームを表し、「Ｓ」はスペシャルサブフレームを表し、「Ｕ」は上りリンクサブフレームを表す。ある例において、スペシャルサブフレームは下りリンクサブフレームのように動作し、またはみなされ得る。表２と同様な情報を、３ＧＰＰ  ＬＴＥ  ＴＳ  ３６．２１１表４．２−２に見ることができる。
【表２】
0006038316.tif 000003
【００５０】
表２により示されるように、ＵＬ−ＤＬ設定０は、サブフレーム２、３、４、７、８、及び９において６個の上りリンクサブフレームを、及び、サブフレーム０、１、５、及び６において４個の下りリンクサブフレーム及びスペシャルサブフレームを含み得て、ＵＬ−ＤＬ設定５は、サブフレーム２において１個の上りリンクサブフレームを、及び、サブフレーム０、１、及び３−９において９個の下りリンクサブフレーム及びスペシャルサブフレームを含み得る。表３に図示するように、各上りリンクサブフレームｎは、上りリンク−下りリンク設定に基づき下りリンクサブフレームに関連付けられ得る。ここで、各上りリンクサブフレームｎは、下りリンク関連セットインデックスＫ∈｛ｋ０，ｋ１，…，ｋＭ−１｝を有し、Ｍは、セットＫにおける要素の数として定義される。表３と同様な情報を、３ＧＰＰ  ＬＴＥ  ＴＳ  ３６．２１３表１０．１．３．１−１に見ることができる。
【表３】
0006038316.tif 000004
【００５１】
表３に、ある下りリンクサブフレームに対するＡＣＫ／ＮＡＣＫフィードバックを処理する上りリンクサブフレームにおける下りリンクサブフレームバンドリングの例を示す。例えば、上りリンク−下りリンク設定４においては、上りリンクサブフレーム２（サブフレームｎ）は、｛１２、８、７、１１｝サブフレーム（サブフレームｋｍ）である下りリンクサブフレーム及びスペシャルサブフレームに対するＡＣＫ／ＮＡＣＫフィードバックを、上りリンクサブフレーム２（すなわち、下りリンクサブフレーム及びスペシャルサブフレーム｛０、４、５、１｝（すなわち、下りリンクサブフレーム及びスペシャルサブフレームｎ−ｋｍ））よりも早く処理し、Ｍは４である。上りリンクサブフレーム３（サブフレームｎ）は、｛６、５、４、７｝サブフレーム（サブフレームｋｍ）である下りリンクサブフレームに対するＡＣＫ／ＮＡＣＫフィードバックを、上りリンクサブフレーム３（すなわち、下りリンクサブフレーム｛７、８、９、６｝（すなわち、下りリンクサブフレームｎ−ｋｍ））よりも早く処理し、Ｍは４である。上りリンク−下りリンク設定５については、上りリンクサブフレーム２であり、Ｍは９である。上りリンク−下りリンク設定０については、上りリンクサブフレーム２で、Ｍは１であり、上りリンクサブフレーム３で、Ｍは０である。上りリンク−下りリンク設定に依存して、１個の上りリンクサブフレームは、１または複数の下りリンクサブフレームに対するＡＣＫ／ＮＡＣＫフィードバックを担い得る。ある状況においては、上りリンクサブフレームの担う役割間の分散によって、１個の上りリンクサブフレームが、多数の下りリンクサブフレーム及びスペシャルサブフレームに対するＡＣＫ／ＮＡＣＫフィードバックを担う状況を減らすことが望まれ得る。
【００５２】
幾つかの例における根本的な要件として、ネットワークのセル同士は、干渉を回避すべく、同時にＵＬ−ＤＬ（ＴＤＤ）設定を変更し得る。しかしながら、そのような要件はネットワークの異なるセルにおいて、トラフィック管理機能を制限することもある。設定のレガシーＬＴＥ  ＴＤＤセットは、表２に示すように、４０％と９０％との間の範囲でＤＬサブフレームの割当を提供し得る。無線フレーム内のＵＬサブフレーム及びＤＬサブフレームの割当は、システム情報ブロードキャストシグナリング（例えば、システム情報ブロック［ＳＩＢ］）を通して再設定され得る。したがって、一旦設定されたＵＬ−ＤＬ割当は、半静的に変化することになり得る。
【００５３】
ＴＤＤの特性は、表２に示すように、ＵＬサブフレーム及びＤＬサブフレームの数は異なり得て、かつ、無線フレームに対しては、しばしばＤＬサブフレームの数はＵＬサブフレームの数よりも多いこといえることである。ＵＬサブフレームよりも多くのＤＬサブフレームが用いられる設定においては、複数のＤＬサブフレームは、対応する制御信号の送信に対して、１個のＵＬサブフレームに関連付けられ得る。設定固有ＨＡＲＱ−ＡＣＫタイミング関係が規定される（例えば、３ＧＰＰ  ＬＴＥ規格リリース１１（例えば、Ｖ１１．１．０（２０１２−１２））ＴＳ  ３６．２１３  表１０．１．３．１−１または表３）。ＵＥが、1個のＵＬサブフレームに関連付けられ得る、複数のＤＬサブフレームにおいてスケジューリングされる場合、ＵＥはそのＵＬサブフレームで複数のＡＣＫ／ＮＡＫ（ＡＣＫ／ＮＡＣＫ）ビットを送信し得る。1個のＵＬサブフレーム上にＨＡＲＱ−ＡＣＫフィードバックを有するＤＬサブフレームの数は、１つのバンドリングウィンドウを構成する。例えば、ＨＡＲＱ−ＡＣＫバンドリングウィンドウは、９個のＤＬサブフレームを有する設定５に対しては用いることはできない。
【００５４】
時分割複信（ＴＤＤ）システムの利点は、セルの上りリンク及び下りリンクのトラフィック特性により良く適合する異なるＴＤＤ設定による、融通の利くリソース活用であるといえる。異なるＴＤＤ設定を設定することで、利用可能な、上りリンク（ＵＬ）リソースと下りリンク（ＤＬ）リソースとの比は、３ＵＬ：２ＤＬ（６ＵＬ：４ＤＬ）から１ＵＬ：９ＤＬの範囲になり得る。レガシーＬＴＥ  ＴＤＤ（例えば、ＬＴＥリリース１０（Ｒｅｌ−１０）仕様書）においては、同じＵＬ−ＤＬ設定のＴＤＤコンポーネントキャリア（ＣＣ）のアグリゲーションのみが規定され、サポートされ得る。同じＵＬ−ＤＬ設定はＣＣの設計及びオペレーションをシンプルにする反面、幾つかの制限を強いもし得る。
【００５５】
例えば、異なる帯域上での、異なる上りリンク−下りリンク設定を有するＴＤＤシステムのための帯域間キャリアアグリゲーション（ＣＡ）がサポートされ得る。例えば、２以上のＴＤＤキャリアが1つのＴＤＤオペレータによって配置され、その複数のキャリアは、１つの基地局（例えば、ノード）において集約され得る。その上、２つのキャリア周波数間の分離は、同じデバイスからのＵＬ−ＤＬ干渉を回避するのに十分大きいといえる。  異なる帯域上における、異なるＴＤＤ設定を有する、帯域間ＣＡの利点の幾つかには、（１）レガシーシステム共存、（２）ヘテロジニアスネットワーク（ＨｅｔＮｅｔ）サポート、（３）トラフィック依存キャリアのアグリゲーション、（４）融通の利く設定（例えば、カバレッジをより良くするために、低い方の帯域においてより多くのＵＬサブフレームを有し、高い方の帯域においてより多くのＤＬサブフレームを有する）、及び（５）より速いピークレート、が含まれ得る。
【００５６】
異なる上りリンク−下りリンク設定を有する帯域間ＴＤＤキャリアアグリゲーション（ＣＡ）のサポートは、異なるＤＬ／ＵＬ設定を有するコンポーネントキャリア（ＣＣ）の集約に用いられ得る。高ピークデータレート向上による利点を、全及び半二重ＵＥへ提供すべく、下りリンク（ＤＬ）データに対するＨＡＲＱ（ハイブリッド自動再送要求）ＡＣＫ／ＮＡＣＫフィードバックは、プライマリセル（ＰＣｅｌｌ）上送信されるのみであるＰＵＣＣＨを用い、ＰＣｅｌｌ  ＳＩＢタイプ１（ＳＩＢ１）ＵＬ−ＤＬ設定に従うことにより、ＰＣｅｌｌ  ＰＤＳＣＨに対するレガシーＨＡＲＱ−ＡＣＫタイミングを用い、図６に図示する表４に示すように、特定の参照ＵＬ−ＤＬ設定（例えば、ＰＣｅｌｌ及びＳＣｅｌｌ  ＵＬ−ＤＬ設定）に従うセカンダリセル（ＳＣｅｌｌ）のＰＤＳＣＨに対するＨＡＲＱ−ＡＣＫタイミングを用い得る。例えば、ＰＣｅｌｌ上のＰＤＳＣＨのＨＡＲＱ−ＡＣＫタイミングは、ＰＣｅｌｌ  ＳＩＢ１  レガシーＵＬ−ＤＬ設定に従い得る。ＳＣｅｌｌ上で送信されるＰＤＳＣＨに対しては、表４に示すように、ＨＡＲＱタイミングは参照レガシーＵＬ−ＤＬ設定に従い得る。
【００５７】
異なる帯域において、異なるＵＬ−ＤＬ設定を有する帯域間ＴＤＤ  ＣＡがサポートされ得る。例えば、ＳＣｅｌｌ  ＰＤＳＣＨ  ＨＡＲＱ  参照タイミングは、図６に図示する表４が示すように、ＰＣｅｌｌ  ＵＬ−ＤＬ設定及びＳＣｅｌｌ  ＵＬ−ＤＬ設定から決定され得る。表４（すなわち、図６）に、ＳＣｅｌｌに対する、ＰＤＳＣＨ  ＨＡＲＱ−ＡＣＫタイミング参照のＵＬ−ＤＬ設定数を図示する。ＰＣｅｌｌ  ＰＤＳＣＨのＨＡＲＱ−ＡＣＫタイミング、ＰＣｅｌｌ  ＰＵＳＣＨのスケジューリングタイミング、ＰＣｅｌｌ  ＰＵＳＣＨのＨＡＲＱタイミングは、ＰＣｅｌｌ  ＳＩＢ１設定を使用し得る。ＵＥは、異なる帯域上で、異なるＵＬ−ＤＬ設定を有する、ＴＤＤ帯域間キャリアアグリゲーション（ＣＡ）に対する自己キャリアスケジューリング、及びＨＡＲＱ−ＡＣＫ送信のためのＰＵＣＣＨフォーマット３で設定され得る。
【００５８】
時分割ロングタームエボリューション（ＴＤ−ＬＴＥ）システム（ＬＴＥ時分割複信（ＬＴＥ  ＴＤＤ）システムとも呼ぶ）において、下りリンクデータに対するＨＡＲＱ−肯定応答（ＨＡＲＱ−ＡＣＫ）は、上りリンクシングルキャリア低キュービックメトリック特性を維持すべく、離散フーリエ変換−展開（ＤＦＴＳ）より先に、ＰＵＣＣＨチャネル上で送信される、または上りリンクＰＵＳＣＨデータ上に相乗りされる、の何れかであり得る。ＵＥがＰＵＳＣＨのために送信リソースを割り当てられたサブフレーム内で、ＨＡＲＱ−ＡＣＫが送信される場合、ＨＡＲＱ−ＡＣＫリソースは、ＰＵＳＣＨデータリソース要素（ＲＥ）をパンクチャリングすることでＳＣ−ＦＤＭＡシンボルにマッピングされ得る。そのようなＰＵＳＣＨパンクチャリングは、特にパンクチャが過度に行われる場合は、ＰＵＳＣＨ性能の悪化の原因となり得る。故に、ＨＡＲＱ−ＡＣＫシンボルによってパンクチャリングされたＰＵＳＣＨ  ＲＥが最小になる場合に、ＰＵＳＣＨ性能は改善され得る。ＨＡＲＱ−ＡＣＫシンボルによるＰＵＳＣＨ  ＲＥパンクチャリングを低減させるべく、下りリンク制御情報（ＤＣＩ）フォーマット０/４における２ビットの下りリンクアサインメントインデックス（ＤＡＩ）
【数１】
0006038316.tif 000005
は、ＴＤＤ  ＨＡＲＱ−ＡＣＫバンドリング、またはＨＡＲＱ−ＡＣＫ多重化のために用いられ得て、ＤＬサブフレームバンドリングウィンドウ内のＤＬアサインメントの総数を示す。例えば、表３において定義したように、バンドリングウィンドウサイズをＭとすると、ＰＵＳＣＨ送信が、上りリンクＤＣＩフォーマット（例えば、ＤＣＩフォーマット０または４）の、検出されたＰＤＣＣＨに基づき調整される場合、Ｍビットに代えて、
【数２】
0006038316.tif 000006
ＨＡＲＱ−ＡＣＫビットがｅＮＢにフィードバックされ得るので、ｅＮＢによってスケジューリングされないＤＬサブフレームに対応する、不要な
【数３】
0006038316.tif 000007
ＨＡＲＱ−ＡＣＫビットは結果的に減る。値
【数４】
0006038316.tif 000008
は、表３において定義したように、全てのサブフレームｎ−ｋ内で、対応するＰＤＣＣＨを伴う、及び伴わない全てのＰＤＳＣＨ送信を含み得る。
【００５９】
符号化理論では、パンクチャリングとは、エラー訂正符号でエンコードされた後、パリティビットのうちの幾つかを取り除くプロセスである。パンクチャリングは、より高速（例えば、変調及び符号化スキーム（ＭＣＳ））、または冗長の少ないエラー訂正符号でエンコードすることと同じ効果を有し得る。パンクチャリングすることで、何ビットがパンクチャリングされたかに関係なく、同じデコーダを用いることができるので、パンクチャリングは、システムの複雑さを著しく増すことなく、システムの可撓性を大いに高め得る。
【００６０】
ＤＡＩは、ＵＥに信号として送られた下りリンクリソースグラント内のフィールドであり、前回のウィンドウにおいて、いくつのサブフレームが送信を含んでいたかをＵＥに示す。ＤＡＩは、ＬＴＥがＴＤＤモードで運用される場合のみ適用可能であり、ＵＥが、組み合わされたＡＣＫ／ＮＡＣＫを送信する全ての下りリンクトランスポートブロックを、ＵＥが受信したかどうかを、ＵＥが決定できるようにする。例えば、動的な８０−９０％のＤＬ比を有するＴＤＤ設定１は、２ビットのＤＡＩを使用してサブフレーム３及び８を示す。
【００６１】
レガシーＴＤ−ＬＴＥシステム（例えば、ＬＴＥリリース１０）内のＵＥ用に、キャリアアグリゲーション（ＣＡ）が設定され、ＨＡＲＱ−ＡＣＫコードブックサイズ（ＰＵＳＣＨ上に相乗りするケースにおいて）は、設定されたＣＣの数、ＣＣの設定された送信モード、及びバンドリングウィンドウ内の下りリンクサブフレームの数によって決定され得る。ＨＡＲＱ−ＡＣＫの送信に、ＴＤＤ  ＵＬ−ＤＬ設定１―６が使用され、ＰＵＣＣＨフォーマット３が設定される場合、ＰＵＳＣＨにおけるＨＡＲＱ−ＡＣＫコードブックサイズは、式１で表される：
【数５】
0006038316.tif 000009
ここで、Ｃは、設定された下りリンクＣＣの数であり、Ｃ２は、２個のトランスポートブロック（ＴＢ）の受信を可能にする、設定された送信モードを有する下りリンクＣＣの数（空間バンドリングが使用されない場合）で、その他の場合はＣ２＝０であり、
【数６】
0006038316.tif 000010
は、ＵＥが、ｃ番目のサービングセルに対してＨＡＲＱ−ＡＣＫビットをフィードバックする必要がある下りリンクサブフレームの数で、ｃ≧０である。 
【００６２】
ＴＤＤ  ＵＬ−ＤＬ設定１、２、３、４及び６に対して、ＵＥは、ＰＵＳＣＨ  サブフレームｎ上の
【数７】
0006038316.tif 000011
が、式２で表されると推測し得る。ＵＬ−ＤＬ設定０は、値
【数８】
0006038316.tif 000012
を送信し得ず、ＵＬ−ＤＬ設定５は、９個のＤＬサブフレームを有するＨＡＲＱ−ＡＣＫバンドリングウィンドウを使用し得ないので（前述したように）、式２はＵＬ−ＤＬ設定０及び５を適用し得ない。
【数９】
0006038316.tif 000013
ここで、
【数１０】
0006038316.tif 000014
は、サブフレームｎ−ｋ´内の、表６に従う上りリンクＤＣＩフォーマット（例えば、ＤＣＩフォーマット０/４）における下りリンクアサインメントインデックス（ＤＡＩ）によって決定され、ここでｋ´は、各サービングセルに対して、表５において定義される。  表５と同様な情報は、３ＧＰＰ  ＬＴＥ  ＴＳ  ３６．２１３表７．３−Ｙに見ることができる。表６と同様な情報は、３ＧＰＰ  ＬＴＥ  ＴＳ  ３６．２１３表７．３−Ｚに見ることができる。
【００６３】
レガシーＬＴＥシステムにおいて規定されるように、ＰＵＳＣＨスケジューリング用の上りリンクＤＣＩフォーマット（例えば、ＤＣＩフォーマット０／４）は、図７に示すように、各バンドリングウィンドウ内の最後の下りリンクサブフレーム（サブフレーム＃３）において送信され得る。そうすると、ｅＮＢは、各サービングセルｃ内で、いくつのＤＬサブフレームが送信されたかを決定し得て、
【数１１】
0006038316.tif 000015
の値を、設定されたＣＣに対して０≦ｃ＜Ｃとして、
【数１２】
0006038316.tif 000016
の最大数に、直接設定し得る。
【数１３】
0006038316.tif 000017
はレガシーＬＴＥシステムにおけるバンドリングウィンドウサイズよりも大きくはあり得ないので、上りリンクＤＣＩフォーマットにおける、
【数１４】
0006038316.tif 000018
によって決定されるＨＡＲＱ−ＡＣＫコードブックサイズは、最小のＨＡＲＱ−ＡＣＫビット数に等しくなり得る。
【数１５】
0006038316.tif 000019
を使用してＨＡＲＱ−ＡＣＫコードブックサイズを決定することは、ＨＡＲＱ−ＡＣＫのオーバーヘッドとＰＵＳＣＨ性能との間のよいトレードオフとなり得る。
【表５】
0006038316.tif 000020
【表６】
0006038316.tif 000021
【００６４】
図７に、ｉ番目のＰＤＳＣＨバンドリングウィンドウ（例えば、ＨＡＲＱバンドリングウィンドウ）内にＵＬグラントを含む下りリンクサブフレームの位置を示す。先の下りリンクサブフレーム９、０および３、およびスペシャルサブフレーム１は、上りリンクサブフレーム７に対するＵＬ−ＤＬ設定２の、予め定められたＨＡＲＱ−ＡＣＫタイミング関係に従うＰＣｅｌｌ及びＳＣｅｌｌ上で、１つのバンドリングウィンドウを構成し得る。ＰＣｅｌｌのサブフレーム３は、ＰＣｅｌｌ及びＳＣｅｌｌの、サブフレーム７に対するＵＬグラントを含み得る。ある例において、ｉ番目のＰＤＳＣＨバンドリングウィンドウのＰＤＳＣＨに対するＨＡＲＱ−ＡＣＫは、ＰＵＳＣＨにおけるＵＣＩによって提供され得る。
【００６５】
異なる上りリンク−下りリンク設定を有する帯域間ＴＤＤキャリアアグリゲーション（ＣＡ）もまたサポートされ得て、図８Ａ−Ｂにおいて図示されるように、異なるＤＬ／ＵＬ設定を有するコンポーネントキャリア（ＣＣ）が集約され得る。例えば、全、及び半二重ＵＥの高速ピークデータレートを向上させるために、下りリンク（ＤＬ）データに対する、ハイブリッド自動再送要求（ＨＡＲＱ）ＡＣＫ／ＮＡＣＫフィードバックには、様々な制約がある。例えば、ＰＵＣＣＨは、プライマリセル（ＰＣｅｌｌ）上においてのみ送信され得て、ＰＣｅｌｌ  ＰＤＳＣＨのＨＡＲＱ−ＡＣＫタイミングは、ＰＣｅｌｌの自身のＳＩＢ１  ＵＬ−ＤＬ設定に従い得て、またはＳＣｅｌｌのＰＤＳＣＨについて、ＨＡＲＱ−ＡＣＫタイミングは、表４（図６）のような、特定の参照ＵＬ−ＤＬ設定に従い得る。
【００６６】
ＳＣｅｌｌ  ＰＤＳＣＨ（図６に示すように）に対するＨＡＲＱ−ＡＣＫタイミング表（すなわち、表４）に従って、ＨＡＲＱ−ＡＣＫバンドリングウィンドウのサイズは、ＰＣｅｌｌとＳＣｅｌｌとの間で異なり得る。この観察に基づき、ＵＥが、ＨＡＲＱ−ＡＣＫ送信に対してＰＵＣＣＨフォーマット３で設定される場合、ＨＡＲＱ−ＡＣＫ送信は、式３を導入する以下の例外を除いては、レガシーデザインに従い得る。
【００６７】
ＵＬサブフレーム「ｎ」における、かつ、ＵＬグラントで調整されるＰＵＳＣＨ上、におけるＨＡＲＱ−ＡＣＫ送信に対し、タイミング参照設定が、＃｛１、２、３、４、６｝である場合、ＵＥが、ｃ番目のサービングセルに対してＨＡＲＱ−ＡＣＫビットをフィードバックできる下りリンクサブフレームの数は、式３で表され得る。
【数１６】
0006038316.tif 000022
ここで、Ｍｃは、ＰＤＳＣＨ送信と、ｃ番目のサービングセルに対するＵＬサブフレームｎに関連付けられるＨＡＲＱ−ＡＣＫバンドリングウィンドウ内で、対応するＵＥに下りリンクセミパーシステントスケジューリング（ＳＰＳ）リリースを示すＰＤＣＣＨと、を含む、サブフレームの総数を表す。式３を実装する方法は、多くのケースで、帯域間ＴＤＤ  ＣＡに対するＨＡＲＱ−ＡＣＫのオーバーヘッドを効果的に減らし得る。例えば、図８Ａ−８Ｂは、ＰＣｅｌｌにおいてＵＬ−ＤＬ設定０、ＳＣｅｌｌ１においてＵＬ−ＤＬ設定２、及びＳＣｅｌｌ２においてＵＬ−ＤＬ設定１である、全部で３つのＣＣを、ＵＥが集約する例を図示する。2つのトランスポートブロック（ＴＢ）が使用可能な送信モード４が設定可能であり、ＨＡＲＱ−ＡＣＫペイロードサイズは、２０よりも大きくないので、空間ＨＡＲＱ−ＡＣＫバンドリングは、適用され得ない。各ＣＣのスペシャルサブフレーム設定は、通常の下りリンクＣＰを含む設定３であり得る。ｅＮＢは、ＰＣｅｌｌのサブフレーム１、ＳＣｅｌｌ１のサブフレーム９、０、１および３、およびＳＣｅｌｌ２のサブフレーム０において、下りリンクサブフレームを送信し得る。更に、ＵＥは、サブフレーム７に対するＰＵＳＣＨ送信の上りリンクグラントを受信できる。結果的に、全ＨＡＲＱ−ＡＣＫコードブックサイズは、図８Ｂに図示するように、１８から１４に減少でき、それは、ＨＡＲＱ−ＡＣＫのオーバーヘッドを２３％にまで減少させることを暗示する。結局、ＰＵＳＣＨ性能及びシステムスループットは、ＨＡＲＱ−ＡＣＫ性能にほとんど、または全く影響を与えずに改善され得る（パンクチャリングとは異なる）。図８Ａ−Ｂは、送信モード４でスケジューリングされたＰＵＳＣＨ上に相乗りするＨＡＲＱ−ＡＣＫコードブックを図示する。  全ＨＡＲＱ−ＡＣＫビット数（すなわちＨＡＲＱ−ビット数）は、「Ｏ」または「ＯＡＣＫ」で表され得る。図８Ｂは、表５および６、及び式１−３を用いて得られる。
【００６８】
式２及び３より、ＨＡＲＱ−ＡＣＫコードブックサイズ縮小は、
【数１７】
0006038316.tif 000023
の値に依存し得る。前述したように、ＰＵＳＣＨスケジューリングに対する上りリンクＤＣＩフォーマット（例えば、ＤＣＩフォーマット０／４）が、各バンドリングウィンドウ内の最後のＤＬサブフレームにおいて送信されるように制限される場合、
【数１８】
0006038316.tif 000024
の値は、幾つかの帯域間ＴＤＤ  ＣＡシナリオにおいては完全になり得ない、現存のＰＤＳＣＨスケジューリング情報に従い、ｅＮＢによって設定され得る。ＰＵＳＣＨスケジューリングと、各バンドリングウィンドウ内の最後のＤＬサブフレームとの間のタイミング関係を用いることによって、ＨＡＲＱ−ＡＣＫフィードバックがＰＵＳＣＨ上に相乗り（例えば、送信）される場合、ＨＡＲＱ−ＡＣＫコードブックサイズは、最小になり得る。あいにく、ＰＵＳＣＨスケジューリングに対する上りリンクＤＣＩフォーマット（例えば、ＤＣＩフォーマット０／４）が、図９に図示するように、バンドリングウィンドウの真ん中にあるＤＬサブフレームにおいて送信される、帯域間ＴＤＤ  ＣＡの幾つかのケースが存在する。図９は、ＰＣｅｌｌが、ＴＤＤ  ＵＬ−ＤＬ設定１で構成され、かつＳＣｅｌｌがＴＤＤ  ＵＬ−ＤＬ設定２で構成される例を図示する。ＰＣｅｌｌのサブフレーム０はＤＡＩ＝１を、及びサブフレーム１はＤＡＩ＝２を有し得て、ＳＣｅｌｌのサブフレーム９はＤＡＩ＝１を、及びサブフレーム０及び１はＤＡＩ＝２を有し得て、サブフレーム３については未知のＤＡＩを有し得る。図９は、帯域間ＴＤＤ  ＣＡのためのＨＡＲＱ−ＡＣＫコードブック決定の潜在的な問題を示している。ＳＣｅｌｌ内のサブフレーム＃３におけるＰＤＳＣＨ送信は、ＰＣｅｌｌのサブフレーム＃１において送信されるＵＬグラントの、
【数１９】
0006038316.tif 000025
設定（すなわち、ＰＣｅｌｌのサブフレーム＃１において送信される
【数２０】
0006038316.tif 000026
）について、ｅＮＢは予め伝え得ないので、一式のルール（例えば、値
【数２１】
0006038316.tif 000027
の計算の変更）が、ＵＥに規定され、提供されて、ＵＥとｅＮＢとの間のＨＡＲＱ−ＡＣＫコードブックサイズのあいまいさは回避し得る。
【００６９】
図９に示すように、ＨＡＲＱバンドリングウィンドウにおけるＰＤＳＣＨ送信が、ＵＬグラントの送信後に起こるケースに対して、式３に定義されるＨＡＲＱ−ＡＣＫビット生成方法はもはや適用可能ではなく、このケースをサポートし得ない。後続のＤＬサブフレーム（送信され得る、または、され得ない）であり、図９のＳＣｅｌｌのサブフレーム＃３などの、上りリンクＤＣＩフォーマット（例えば、ＤＣＩフォーマット０／４）を運ぶＤＬサブフレームの後に起こるＤＬサブフレームのせいで、ＨＡＲＱ−ＡＣＫコードブックサイズはあいまいになり得る。ゆえに、上りリンクＤＣＩフォーマットが送信される場合、後続のＤＬサブフレームは、
【数２２】
0006038316.tif 000028
値に含まれ得ない。ｅＮＢとＵＥとの間でのＨＡＲＱ−ＡＣＫコードブックサイズのあいまいさを変わらず回避しつつ、本明細書で記載する技術（例えば、方法、コンピュータ回路、デバイス、プロセッサ、及びＵＥ）は、
【数２３】
0006038316.tif 000029
値の設定に用いられて、ＨＡＲＱ−ＡＣＫコードブックサイズを最小にし得る。この技術は、さまざまなケースについて、ＨＡＲＱ−ＡＣＫコードブックサイズを最小化するために使用され得る。
【００７０】
ある例においては、ＤＬサブフレームが、上りリンクＤＣＩフォーマット（例えば、ＤＣＩフォーマット０／４）のＤＬ  ＤＣＩ送信の後に起こる場合、ＨＡＲＱ−ＡＣＫコードブックサイズは、タイミングトリガリング条件下で決定され得る。そのようなＤＬサブフレームを、ｅＮＢは予め伝え得ないので、後続のＰＤＳＣＨサブフレームは、
【数２４】
0006038316.tif 000030
値設定に考慮され得ない。ＵＥは、検出された上りリンクグラントＤＣＩ（例えば、ＤＣＩフォーマット０／４）における
【数２５】
0006038316.tif 000031
値に単に依存するレガシーＨＡＲＱ−ＡＣＫビット数を生成し得るので、結局、
【数２６】
0006038316.tif 000032
は、ＨＡＲＱバンドリングウィンドウ全体には適用し得ず、ｅＮＢとＵＥ側との間の、ＨＡＲＱ−ＡＣＫコードブックサイズの不一致を引き起こし得る。図１０は、帯域間ＴＤＤ  ＣＡシステムに対するＨＡＲＱ−ＡＣＫフィードバックモデルを図示する。後続のＰＤＳＣＨサブフレーム（例えば、Ｂ部）は、上りリンクグラントＤＣＩの後に起こる。
【００７１】
式３は、ＨＡＲＱ−ＡＣＫ生成にあいまいさをもたらし得て、図９−１０で図示されるケースに対しては適用可能ではあり得ない。ＵＥは、適切に
【数２７】
0006038316.tif 000033
値を使用すべく、決定し、変更を施して、あいまいさを伴わず、ＨＡＲＱ−ＡＣＫコードブックサイズを最小化し得る。例えば、図１０に示すように、バンドリングウィンドウは、２つの部分（例えば、Ａ部及びＢ）に分割され得る。Ａ部に対して、ＨＡＲＱ−ＡＣＫコードブックオーバーヘッドは、上りリンクＤＣＩフォーマット（例えば、ＤＣＩフォーマット０／４）における
【数２８】
0006038316.tif 000034
に従い適切に低減され得る。一方Ｂ部は、後続のＰＤＳＣＨサブフレームが存在する（例えば、後続のＰＤＳＣＨサブフレームが、上りリンクグラントＤＣＩの後に起こる）場合、各下りリンクサブフレームに関連付けられるＨＡＲＱ−ＡＣＫビットを生成し得る。
【００７２】
Ａ部及びＢ部に関係する例の詳細が追加で提供される。現存のＨＡＲＱ−ＡＣＫバンドリングウィンドウの定義を再利用して、バンドリングウィンドウは、表３において定義したＨＡＲＱ−ＡＣＫフィードバックを運び得る、１つのＵＬサブフレームに関連付けられる、１セットのＤＬサブフレームを含み得る。図１０は、図９に示す問題に対処する、ＨＡＲＱ−ＡＣＫコードブックサイズ決定を図示し得る。図１０において、ＵＬサブフレーム「ｎ」に関連付けられる、サービングセル「ｊ」のＰＤＳＣＨバンドリングウィンドウは、ｉ≠ｊである、サービングセル「ｉ」上で送信されるＵＬグラントを運ぶＤＬサブフレームに関係する下りリンクサブフレーム位置に従い、Ａ部及びＢ部の、２つの部分にさらに分割され得る。サービングセル「ｃ」上のバンドリングウィンドウ内のＡ部は、
【数２９】
0006038316.tif 000035
個のＤＬサブフレームを含み得て、サービングセル「ｃ」上のバンドリングウィンドウ内のＢ部は、もし存在する場合は、
【数３０】
0006038316.tif 000036
個のＤＬサブフレームを含み得て、
【数３１】
0006038316.tif 000037
である。図１０に示すように、Ｂ部内のＤＬサブフレームの特性は、下りリンクサブフレームが、ＵＬサブフレーム＃ｎ上のＰＵＳＣＨスケジューリングに対するＵＬグラントを伝達するよりも後に、これらのサブフレームが送信されるという点であり得る。幾つかのケースにおいて、
【数３２】
0006038316.tif 000038
はゼロに等しくあり得る。
【００７３】
ＨＡＲＱ−ＡＣＫコードブックサイズは、式４で表され得る。
【数３３】
0006038316.tif 000039
ここで、
【数３４】
0006038316.tif 000040
は設定されたセルの数であり、ｃ番目のサービングセル内で設定された送信モードが、１つのトランスポートブロックをサポートする場合、または空間ＨＡＲＱ−ＡＣＫバンドリングが適用される場合は、
【数３５】
0006038316.tif 000041
であり、それ以外では
【数３６】
0006038316.tif 000042
である。
【００７４】
ある例において、幾つかの異なる
【数３７】
0006038316.tif 000043
決定は、図１０において示されるケースに用いられ得て、かつＰＵＣＣＨフォーマット３が設定される場合の、サービングセル「ｉ」の、異なるＴＤＤ  ＵＬ−ＤＬ設定に対応して用いられ得る。
【００７５】
第１のケースでは、ＰＵＣＣＨフォーマット３がＨＡＲＱ−ＡＣＫの送信に対して設定され、ＨＡＲＱ−ＡＣＫが、上りリンクＤＣＩフォーマット（例えば、ＤＣＩフォーマット０／４）の、検出されたＰＤＣＣＨで調整されたサブフレームｎ内のＰＵＳＣＨ上で送信され、及び、ＵＬグラントが送信される、サービングセル＃ｉのタイミング参照設定がＵＬ−ＤＬ設定０である場合、ＵＥは、ＰＵＳＣＨサブフレーム「ｎ」上の、任意の1つのサービングセル「ｃ」に対し、
【数３８】
0006038316.tif 000044
を、式５で表されると仮定し得る。
【数３９】
0006038316.tif 000045
ここで、Ｍｃは、ＨＡＲＱ−ＡＣＫフィードバックに対するサブフレーム「ｎ」に関連付けられるセットＫ（表３において定義されたように）における要素の数であり、セットＫは、通常の下りリンクＣＰを有するＵＬ−ＤＬ設定０および５のスペシャルサブフレームを含まないか、または、セットＫは、拡張された下りリンクＣＰを有するＵＬ−ＤＬ設定０および４のスペシャルサブフレームを含まない。それでなければ、ＰＵＣＣＨフォーマット３はＨＡＲＱ−ＡＣＫの送信に対して設定されるので、ＨＡＲＱ−ＡＣＫは、上りリンクＤＣＩフォーマット（例えば、ＤＣＩフォーマット０／４）の、検出されたＰＤＣＣＨで調整されたサブフレームｎ内のＰＵＳＣＨ上で送信され、かつ、ＵＬグラントが送信される、サービングセル＃ｉのタイミング参照設定は、ＵＬ−ＤＬ設定０である。ＵＥは、ＰＵＳＣＨサブフレーム「ｎ」上の、任意の１つのサービングセル「ｃ」に対して
【数４０】
0006038316.tif 000046
を、式６で表されると仮定し得る。
【数４１】
0006038316.tif 000047
【００７６】
ある例において、式５及び式６は、上りリンクＤＣＩフォーマットが値
【数４２】
0006038316.tif 000048
（例えば、ＵＬ−ＤＬ設定０）を送信しない場合に用いられ得る。式５は、スペシャルサブフレーム（例えば、通常の下りリンクＣＰを有するＵＬ−ＤＬ設定０及び５、または拡張された下りリンクＣＰを有するＵＬ−ＤＬ設定０及び４）において、ＰＤＳＣＨが送信されない、すなわちデータが送信されない（例えば、ＰＤＣＣＨ送信のみ）場合に用いられ得る。式６は、ＰＤＳＣＨすなわちデータが、スペシャルサブフレームにおいて送信される場合に用いられ得る。
【００７７】
第２のケース（例えば、サービングセル＃ｉのタイミング参照設定が、ＵＬ−ＤＬ設定０でない）において、第1の選択肢は、図１０で図示されるように、ＵＬサブフレーム「ｎ」内、かつＰＵＳＣＨ上のＨＡＲＱ−ＡＣＫ送信が、ＵＬグラントで調整され、ＰＵＳＣＨ上のＨＡＲＱ−ＡＣＫコードブックサイズの数は式７で決定され得る。
【数４３】
0006038316.tif 000049
ここで、Ｕは、全ての設定されたサービングセル間におけるＵｃの最大値を示し、Ｕｃは、受信したＰＤＳＣＨと、ｃ番目のサービングセル上のＡ部内のサブフレームｎ−ｋにおいて、下りリンクＳＰＳリリースを示すＰＤＣＣＨと、の総数であり、表３に定義するようにｋ∈Ｋであり、サブフレームｎ−ｋ´、ここでｋ´は表５において定義される、における表６に従い、
【数４４】
0006038316.tif 000050
は、ＵＣＩがＰＵＳＣＨ上に相乗りする、サービングセルの上りリンクＤＣＩフォーマット（例えば、ＤＣＩフォーマット０／４）における下りリンクアサインメントインデックス（ＤＡＩ）で決定される。
【００７８】
この第２のケースにおいて、
【数４５】
0006038316.tif 000051
の値は、ＵＬサブフレームｎに対するＵＬグラントを含むＤＬサブフレームより先に送信されたＤＬサブフレームを数えるのみであり得る。サブフレーム「ｎ」に対するＵＬグラントが送信される時点における、バンドリングウィンドウのＢ部の後続のサブフレームの送信条件を、ｅＮＢは正確には決定し得ないことを考慮すると、この仮定は妥当であるといえる。
【００７９】
図１１に、第２のケースに対するＨＡＲＱ−ＡＣＫコードブックサイズ決定の例を提供する。図５において、サービングセル０は設定１を、サービングセル１は設定２を用い得る。サービングセル０、サブフレーム５は、ＤＡＩ＝１を有し得て、サービングセル１、サブフレーム６はＤＡＩ＝１を有し得る。Ｂ部のＰＤＳＣＨ送信（例えば、ＤＡＩ＝2のサブフレーム８）を、ｅＮＢスケジューラは知り得ず、
【数４６】
0006038316.tif 000052
を有するＵＬグラントは、ＰＤＳＣＨバンドリングウィンドウのＡ部内のＰＤＳＣＨ送信ステータスに従い、サービングセル０上のサブフレーム６上で送信され得る。２個のトランスポートブロック（ＴＢ）が設定された送信モード４を仮定すれば、式４及び式７を用いると、生成される全ＨＡＲＱ−ＡＣＫビットの数は６となり得る。本明細書における技術によって生成された、６つのＨＡＲＱ−ＡＣＫビットは、レガシーシステムまたは設計でのＨＡＲＱ−ＡＣＫのフィードバックに用いられる８つのＨＡＲＱ−ＡＣＫビットに比べて、ＨＡＲＱ−ＡＣＫコードブックサイズを減らす。
【００８０】
第２のケース（例えば、サービングセル＃ｉのタイミング参照設定が、ＵＬ−ＤＬ設定０ではない）において、第２の選択肢において、追加的なＰＤＳＣＨサブフレームを見越してビットを増やすことによって、ＨＡＲＱバンドリングウィンドウ内の後続のＰＤＳＣＨサブフレームを最終的に決定することなく、ＵＬグラント内の
【数４７】
0006038316.tif 000053
の値の決定をする際、ｅＮＢは、Ｂ部のＤＬサブフレームを考慮に入れることができる。しかしながら、第２のケースの、第２の選択肢は、ＨＡＲＱ−ＡＣＫのオーバーヘッドを増加させ得る。例えば、図１１における例によって示されるように、
【数４８】
0006038316.tif 000054
の値は、Ｂ部を含むべく、
【数４９】
0006038316.tif 000055
ではなく、
【数５０】
0006038316.tif 000056
と設定され得る。結果的に、２つのＣＣが設定される場合、ＨＡＲＱ−ＡＣＫビットの数は、６から８へ増える（図１１に図示するように）。図１１の例を用いる別の例において、追加的なＨＡＲＱ−ＡＣＫビットの数は、設定されたＣＣの数が増えると、著しく増加し得る。
【００８１】
別の例は、図１２のフローチャートにおいて示されるように、ユーザ機器（ＵＥ）における、帯域間時分割複信（ＴＤＤ）キャリアアグリゲーション（ＣＡ）のための、ハイブリッド自動再送要求肯定応答（ＨＡＲＱ−ＡＣＫ）コードブックサイズの生成方法５００を提供する。この方法は、ＵＥの、マシン、コンピュータ回路、またはプロセッサ上で命令として実行され得る。命令は、少なくとも１つのコンピュータ可読媒体または１つの非一時的マシン可読記憶媒体上に含まれる。ブロック５１０にあるように、この方法は、ＨＡＲＱ−ＡＣＫフィードバックを用いて、少なくとも１つの下りリンク（ＤＬ）サブフレームを含む、帯域間ＴＤＤ  ＣＡに対する物理下りリンク共有チャネル（ＰＤＳＣＨ）バンドリングウィンドウを含む、設定情報を受信するオペレーションを含む。ブロック５２０にあるように、ＰＤＳＣＨバンドリングウィンドウを、第1の部分及び第２の部分に分割するオペレーションが続く。第１の部分は、サービングセル上の上りリンクスケジューリングに対する下りリンク制御情報（ＤＣＩ）送信が伝達される、ＤＬサブフレームよりも先に起こる、全ての設定されたサービングセルのＤＬサブフレームを含み、第２の部分は、全てのサービングセルのＤＣＩ送信の後に起こる物理下りリンク共有チャネル（ＰＤＳＣＨ）サブフレームを含む。この方法の、次のオペレーションでは、ブロック５３０にあるように、第１の部分及び第２の部分に基づき、ＨＡＲＱ−ＡＣＫコードブックサイズを生成する。
【００８２】
ある例において、物理上りリンク共有チャネル（ＰＵＳＣＨ）上のＨＡＲＱ−ＡＣＫコードブックサイズは、
【数５１】
0006038316.tif 000057
で表され得る。ここで、
【数５２】
0006038316.tif 000058
は設定されたセルの数であり、
【数５３】
0006038316.tif 000059
は、ＵＥが、ｃ番目のサービングセルに対してＨＡＲＱ−ＡＣＫビットをフィードバックする必要がある下りリンクサブフレームの数であり、ｃは非負整数であり、ｃ番目のサービングセルにおいて設定される送信モードが、１つのトランスポートブロック（ＴＢ）をサポートするか、または空間ＨＡＲＱ−ＡＣＫバンドリングが適用される場合、
【数５４】
0006038316.tif 000060
であり、その他は、
【数５５】
0006038316.tif 000061
である。
【００８３】
設定において、ＤＣＩ送信が
【数５６】
0006038316.tif 000062
値を含む場合、
【数５７】
0006038316.tif 000063
である。ここで、
【数５８】
0006038316.tif 000064
は第１の部分におけるＤＬサブフレームの数であり、
【数５９】
0006038316.tif 000065
は第２の部分におけるＤＬサブフレームの数であり、Ｕは設定されたサービングセル間におけるＵｃの最大値を示し、Ｕｃは、受信したＰＤＳＣＨと、ｃ番目のサービングセル上の第１の部分内のサブフレームｎ−ｋにおいて、下りリンクセミパーシステントスケジューリング（ＳＰＳ）リリースを示す物理下りリンク制御チャネル（ＰＤＣＣＨ）と、の総数であり、第３世代パートナーシッププロジェクト（３ＧＰＰ）ロングタームエボリューション（ＬＴＥ）規格リリース１１技術仕様書（ＴＳ）３６．２１３の表１０．１．３．１−１において規定されるように、ｋ∈Ｋであり、
【数６０】
0006038316.tif 000066
は、サブフレームｎ−ｋ´、ここでｋ´はＴＳ３６．２１３の表７．３−Ｙにおいて規定される、において、ＴＳ３６．２１３の表７．３−Ｚに従い、上りリンク制御情報（ＵＣＩ）がＰＵＳＣＨ上で送信されるＤＣＩフォーマットにおける下りリンクアサインメントインデックス（ＤＡＩ）によって決定される。
【００８４】
別の設定において、ＤＣＩ送信が
【数６１】
0006038316.tif 000067
値を含む場合、
【数６２】
0006038316.tif 000068
である。ここで、
【数６３】
0006038316.tif 000069
は第１の部分におけるＤＬサブフレームの数であり、
【数６４】
0006038316.tif 000070
は第２の部分におけるＤＬサブフレームの数であり、Ｕは設定されたサービングセル間におけるＵｃの最大値を示し、Ｕｃは、受信したＰＤＳＣＨと、ｃ番目のサービングセル上の第１の部分内のサブフレームｎ−ｋにおいて、下りリンクセミパーシステントスケジューリング（ＳＰＳ）リリースを示す物理下りリンク制御チャネル（ＰＤＣＣＨ）と、の総数であり、第３世代パートナーシッププロジェクト（３ＧＰＰ）ロングタームエボリューション（ＬＴＥ）規格リリース１１技術仕様書（ＴＳ）３６．２１３の表１０．１．３．１−１において規定されるように、ｋ∈Ｋであり、
【数６５】
0006038316.tif 000071
である。
【００８５】
さらに別の設定において、ＤＣＩ送信が
【数６６】
0006038316.tif 000072
値を含まない場合、
【数６７】
0006038316.tif 000073
である。ここで、
【数６８】
0006038316.tif 000074
は、ＨＡＲＱ−ＡＣＫフィードバックに対するサブフレーム「ｎ」に関連付けられる、第３世代パートナーシッププロジェクト（３ＧＰＰ）ロングタームエボリューション（ＬＴＥ）規格リリース１１技術仕様書（ＴＳ）３６．２１３の表１０．１．３．１−１において規定されるようなセットｋ∈Ｋ内の要素の数であり、セットＫはＰＤＳＣＨを含まず、
【数６９】
0006038316.tif 000075
は、第１の部分のＤＬサブフレームの数であり、
【数７０】
0006038316.tif 000076
は、第２の部分のＤＬサブフレームの数である。そうでなければ、ＤＣＩ送信が、
【数７１】
0006038316.tif 000077
値を含まない場合、
【数７２】
0006038316.tif 000078
であり、ここで、セットＫはＰＤＳＣＨを含む。
【００８６】
別の例において、方法は、第１の部分に対する、値
【数７３】
0006038316.tif 000079
内に下りリンクアサインメントインデックス（ＤＡＩ）情報を含むＤＣＩ送信において、上りリンクグラントを受信する段階を、さらに含む。ＤＣＩ送信は、上りリンクグラントに用いられるＤＣＩフォーマットで送信される。別の設定においては、方法は、物理上りリンク共有チャネル（ＰＵＳＣＨ）上の、上りリンク制御情報（ＵＣＩ）における、計算されたＨＡＲＱ−ＡＣＫコードブックサイズと共に、ＨＡＲＱバンドリングウィンドウのＰＤＳＣＨサブフレームに対するＨＡＲＱ−ＡＣＫフィードバックを送信する段階を、さらに含む。
【００８７】
他の設定においては、方法は、ＨＡＲＱ−ＡＣＫフィードバックを用いて、少なくとも１つの下りリンク（ＤＬ）サブフレームを含む、帯域間ＴＤＤ  ＣＡに対する、物理下りリンク共有チャネル（ＰＤＳＣＨ）バンドリングウィンドウを含む設定情報を受信するオペレーションを含む。上りリンクグラントに対する、サービングセルの下りリンク制御情報（ＤＣＩ）送信後に、ＰＤＳＣＨバンドリングウィンドウ内のＰＤＳＣＨサブフレームが送信される場合、ＰＤＳＣＨバンドリングウィンドウの第１の部分及び第２の部分への分割をトリガするオペレーションが続く。第１の部分は、上りリンクグラントに対するサービングセルのＤＣＩ送信に関連付けられ、第２の部分は、ＤＣＩ送信の後に起こるＰＤＳＣＨサブフレームに対するＨＡＲＱ−ＡＣＫフィードバックを表わす。方法の次のオペレーションは、第１の部分及び第２の部分に基づく、ＨＡＲＱ−ＡＣＫコードブックサイズの生成であり得る。
【００８８】
別の例は、図１３のフローチャートに示すように、帯域間時分割複信（ＴＤＤ）キャリアアグリゲーション（ＣＡ）のための、ハイブリッド自動再送要求肯定応答（ＨＡＲＱ−ＡＣＫ）コードブックサイズを決定すべく動作可能な、ユーザ機器（ＵＥ）上のコンピュータ回路の機能６００を提供する。機能は、方法として実装され得るか、またはマシン上で命令として実行され得る。ここで、命令は、少なくとも１つのコンピュータ可読媒体または１つの非一時的マシン可読記憶媒体上に含まれる。コンピュータ回路は、ブロック６１０にあるように、ＨＡＲＱ−ＡＣＫフィードバックを用いて、幾つかの下りリンク（ＤＬ）サブフレームを含む帯域間ＴＤＤ  ＣＡに対するＨＡＲＱバンドリングウィンドウを決定すべく構成され得る。ブロック６２０にあるように、コンピュータ回路はさらに、ＨＡＲＱバンドリングウィンドウを第１の部分及び第２の部分へ分割すべく構成され得る。第１の部分は、サービングセル上の上りリンクスケジューリングに対する下りリンク制御情報（ＤＣＩ）送信が伝達されるＤＬサブフレームよりも前に起こる、設定されたサービングセルのＤＬサブフレームを含み、第２の部分は、設定されたサービングセルのそのＤＣＩ送信の後に起こる物理下りリンク共有チャネル（ＰＤＳＣＨ）サブフレームを含む。ブロック６３０にあるように、コンピュータ回路はまた、第１の部分及び第２の部分に基づき、ＨＡＲＱ−ＡＣＫコードブックサイズを計算すべく構成され得る。
【００８９】
ある例において、物理上りリンク共有チャネル（ＰＵＳＣＨ）上のＨＡＲＱ−ＡＣＫコードブックサイズは、
【数７４】
0006038316.tif 000080
で表され得る。ここで、
【数７５】
0006038316.tif 000081
は設定されたセルの数であり、
【数７６】
0006038316.tif 000082
は、ＵＥが、ｃ番目のサービングセルに対してＨＡＲＱ−ＡＣＫビットをフィードバックする必要がある、下りリンクサブフレームの数であり、ｃは非負整数であり、ｃ番目のサービングセルにおいて設定された送信モードが１つのトランスポートブロック（ＴＢ）をサポートするか、または空間ＨＡＲＱ−ＡＣＫバンドリングが適用される場合は、
【数７７】
0006038316.tif 000083
であり、その他は
【数７８】
0006038316.tif 000084
である。
【００９０】
設定において、上りリンクグラントを運ぶサービングセルが、上りリンク−下りリンク（ＵＬ−ＤＬ）設定０でない場合、
【数７９】
0006038316.tif 000085
である。ここで、
【数８０】
0006038316.tif 000086
は、第１の部分におけるＤＬサブフレームの数であり、
【数８１】
0006038316.tif 000087
は第２の部分におけるＤＬサブフレームの数であり、Ｕは、設定されたサービングセル間におけるＵｃの最大値を示し、Ｕｃは、受信したＰＤＳＣＨと、ｃ番目のサービングセル上の第１の部分内のサブフレームｎ−ｋにおいて、下りリンクセミパーシステントスケジューリング（ＳＰＳ）リリースを示す物理下りリンク制御チャネル（ＰＤＣＣＨ）と、の総数であり、第３世代パートナーシッププロジェクト（３ＧＰＰ）ロングタームエボリューション（ＬＴＥ）規格リリース１１技術仕様書（ＴＳ）３６．２１３の表１０．１．３．１−１において規定されるように、ｋ∈Ｋであり、
【数８２】
0006038316.tif 000088
は、サブフレームｎ−ｋ´、ここでｋ´はＴＳ３６．２１３の表７．３−Ｙにおいて規定される、において、ＴＳ３６．２１３の表７．３−Ｚに従い、上りリンク制御情報（ＵＣＩ）がＰＵＳＣＨ上で送信される、サービングセルのＤＣＩフォーマット０または４における下りリンクアサインメントインデックス（ＤＡＩ）によって決定される。
【００９１】
別の設定において、上りリンクグラントを運ぶサービングセルが、上りリンク−下りリンク（ＵＬ−ＤＬ）設定０でない場合、
【数８３】
0006038316.tif 000089
である。ここで、
【数８４】
0006038316.tif 000090
は、第１の部分におけるＤＬサブフレームの数であり、
【数８５】
0006038316.tif 000091
は第２の部分におけるＤＬサブフレームの数であり、Ｕは設定されたサービングセル間におけるＵｃの最大値を示し、Ｕｃは、受信したＰＤＳＣＨと、ｃ番目のサービングセル上の第１の部分内のサブフレームｎ−ｋにおいて、下りリンクセミパーシステントスケジューリング（ＳＰＳ）リリースを示す物理下りリンク制御チャネル（ＰＤＣＣＨ）と、の総数であり、第３世代パートナーシッププロジェクト（３ＧＰＰ）ロングタームエボリューション（ＬＴＥ）規格リリース１１技術仕様書（ＴＳ）３６．２１３の表１０．１．３．１−１において規定されるように、ｋ∈Ｋであり、
【数８６】
0006038316.tif 000092
である。
【００９２】
さらに別の設定において、上りリンクグラントを運ぶサービングセルが、上りリンク−下りリンク（ＵＬ−ＤＬ）設定０であり、物理上りリンク制御チャネル（ＰＵＣＣＨ）フォーマット３が、ＨＡＲＱ−ＡＣＫの送信用に設定され、かつ、サブフレーム「ｎ」に対応するＤＣＩフォーマット０または４の、物理下りリンク制御チャネル（ＰＤＣＣＨ）が検出される場合、
【数８７】
0006038316.tif 000093
である。ここで、Ｍｃは、ＨＡＲＱ−ＡＣＫフィードバックに対するサブフレーム「ｎ」に関連付けられる、第３世代パートナーシッププロジェクト（３ＧＰＰ）ロングタームエボリューション（ＬＴＥ）規格リリース１１技術仕様書（ＴＳ）３６．２１３の表１０．１．３．１−１において規定されるようなセットｋ∈Ｋ内の要素の数であり、セットＫは、通常の下りリンクサイクリックプレフィキシング（ＣＰ）を有するＵＬ−ＤＬ設定０及び５のスペシャルサブフレームを含まず、かつ、拡張された下りリンクＣＰを有するＵＬ−ＤＬ設定０及び４のスペシャルサブフレームを含まない。そうでなければ、上りリンクグラントを運ぶサービングセルが、上りリンク−下りリンク（ＵＬ−ＤＬ）設定０であり、物理上りリンク制御チャネル（ＰＵＣＣＨ）フォーマット３が、ＨＡＲＱ−ＡＣＫの送信用に設定され、かつ、サブフレーム「ｎ」に対応するＤＣＩフォーマット０または４の、物理下りリンク制御チャネル（ＰＤＣＣＨ）が検出される場合、
【数８８】
0006038316.tif 000094
である。ここで、セットＫは、通常の下りリンクサイクリックプレフィキシング（ＣＰ）を有するＵＬ−ＤＬ設定０または５のスペシャルサブフレームを含むか、または、拡張された下りリンクＣＰを有するＵＬ−ＤＬ設定０または４のスペシャルサブフレームを含む。
【００９３】
別の例において、コンピュータ回路は、第１の部分に対する、値
【数８９】
0006038316.tif 000095
における下りリンクアサインメントインデックス（ＤＡＩ）情報を含むＤＣＩ送信において、上りリンクグラントを受信すべく、さらに構成され得る。ここで、ＤＣＩ送信は、ロングタームエボリューション（ＬＴＥ）ＤＣＩフォーマット０またはＤＣＩフォーマット４で送信される。別の設定において、コンピュータ回路は、上りリンクスケジューリングに対してＤＣＩによってスケジューリングされた、物理上りリンク共有チャネル（ＰＵＳＣＨ）を介して、ＨＡＲＱ−ＡＣＫコードブックを送信すべく、さらに構成され得る。
【００９４】
別の例において、ＨＡＲＱバンドリングウィンドウサイズＭｃを有するＨＡＲＱバンドリングウィンドウは、第３世代パートナーシッププロジェクト（３ＧＰＰ）ロングタームエボリューション（ＬＴＥ）規格リリース１１技術仕様書（ＴＳ）３６．２１３の表１０．１．３．１−１において規定されるＨＡＲＱ−ＡＣＫフィードバックを運ぶ１つの上りリンク（ＵＬ）サブフレームに関連付けられる、１セットのＤＬサブフレームを含み得る。別の設定において、帯域間ＴＤＤ  ＣＡにおけるプライマリセル（ＰＣｅｌｌ）のＴＤＤ設定は、帯域間ＴＤＤ  ＣＡにおけるセカンダリセル（ＳＣｅｌｌ）のＴＤＤ設定とは異なり得る。
【００９５】
別の例において、コンピュータ回路は、ＨＡＲＱ−ＡＣＫフィードバックを用いて、幾つかの下りリンク（ＤＬ）サブフレームを含む帯域間ＴＤＤ  ＣＡに対するＨＡＲＱバンドリングウィンドウを決定すべく構成され得る。コンピュータ回路はさらに、ＨＡＲＱバンドリングウィンドウを、第１の部分及び第２の部分に分割すべく構成され得る。第１の部分は、上りリンクスケジューリングに対する、サービングセルの下りリンク制御情報（ＤＣＩ）送信に関連付けられ、第２の部分は、そのＤＣＩ送信の後に起こる物理下りリンク共有チャネル（ＰＤＳＣＨ）サブフレームに対するＨＡＲＱ−ＡＣＫフィードバックを表す。コンピュータ回路はまた、第１の部分及び第２の部分に基づき、ＨＡＲＱ−ＡＣＫコードブックサイズを計算すべく構成され得る。
【００９６】
図１４に、ｅＮＢなどのノードの例（例えば、サービングノード７１０及び協調ノード７５０）、及び無線デバイスの例７２０（例えば、ＵＥ）を図示する。ノードは、ノードデバイス７１２及び７５２を含み得る。ノードデバイスまたはノードは、無線デバイスと通信すべく構成され得る。ノードデバイス、ノードにおけるデバイス、またはノードは、Ｘ２アプリケーションプロトコル（Ｘ２ＡＰ）などの、バックホールリンク７４８（光リンクまたは有線リンク）を介して、他のノードと通信すべく構成され得る。ノードデバイスは、プロセッサ７１４及び７５４、及びトランシーバ７１６及び７５６を含み得る。トランシーバは、第１の部分に対する、値
【数９０】
0006038316.tif 000096
における下りリンクアサインメントインデックス（ＤＡＩ）情報を含むＤＣＩ送信において、上りリンクグラントを送信すべく構成され得る。ここで、ＤＣＩ送信は、上りリンクグラントに用いられたＤＣＩフォーマットで送信される。トランシーバはまた、上りリンクスケジューリングに対してＤＣＩによってスケジューリングされた物理上りリンク共有チャネル（ＰＵＳＣＨ）を介して、ＨＡＲＱ−ＡＣＫコードブックを受信すべく構成され得る。トランシーバ７１６及び７５６はさらに、Ｘ２アプリケーションプロトコル（Ｘ２ＡＰ）を介して、協調ノードと通信すべく構成され得る。プロセッサはさらに、下りリンクチャネルを生成し、上りリンクチャネルを受信及び処理すべく構成され得る。サービングノードは、ＰＣｅｌｌ及びＳＣｅｌｌの両方を生成し得る。ノード（例えば、サービングノード７１０及び協調ノード７５０）は、基地局（ＢＳ）、ノードＢ（ＮＢ）、発展型ノードＢ（ｅＮＢ）、ベースバンドユニット（ＢＢＵ）、遠隔無線ヘッド（ＲＲＨ）、遠隔無線機器（ＲＲＥ）、遠隔無線ユニット（ＲＲＵ）、または中央処理モジュール（ＣＰＭ）を含み得る。
【００９７】
無線デバイス７２０（例えば、ＵＥ）は、トランシーバ７２４及びプロセッサ７２２を含み得る。無線デバイス（すなわち、デバイス）は、図１２の５００、または図１３の６００において説明したように、時分割複信（ＴＤＤ）キャリアアグリゲーション（ＣＡ）のためのハイブリッド自動再送要求肯定応答（ＨＡＲＱ−ＡＣＫ）コードブックサイズを計算すべく構成され得る。
【００９８】
別の例において、プロセッサ７２２は、ＨＡＲＱ−ＡＣＫフィードバックを用いて、幾つかの下りリンク（ＤＬ）サブフレームを含む帯域間ＴＤＤ  ＣＡに対するＨＡＲＱバンドリングウィンドウを決定し、ＨＡＲＱバンドリングウィンドウを、第1の部分及び第２の部分に分割し、第１の部分及び第２の部分、及びＤＣＩフォーマットに基づき、ＨＡＲＱ−ＡＣＫコードブックサイズを決定すべく構成され得る。第１の部分は、サービングセル上の上りリンクスケジューリングに対する下りリンク制御情報（ＤＣＩ）送信が伝達される、ＤＬサブフレームよりも先に起こる、設定されたサービングセルのＤＬサブフレームを含み、第２の部分は、設定されたサービングセルのＤＣＩ送信後に起こる物理下りリンク共有チャネル（ＰＤＳＣＨ）サブフレームを含む。
【００９９】
ある例において、物理上りリンク共有チャネル（ＰＵＳＣＨ）上のＨＡＲＱ−ＡＣＫコードブックサイズは、
【数９１】
0006038316.tif 000097
によって表され得る。ここで、
【数９２】
0006038316.tif 000098
は設定されたセルの数であり、
【数９３】
0006038316.tif 000099
は、ＵＥが、ｃ番目のサービングセルに対してＨＡＲＱ−ＡＣＫビットをフィードバックする必要がある下りリンクサブフレームの数であり、ｃは非負整数であり、ｃ番目のサービングセルにおいて設定される送信モードが、１つのトランスポートブロック（ＴＢ）をサポートするか、または空間ＨＡＲＱ−ＡＣＫバンドリングが適用される場合、
【数９４】
0006038316.tif 000100
であり、その他は、
【数９５】
0006038316.tif 000101
である。
【０１００】
設定において、上りリンクグラントを運ぶサービングセルが、上りリンク−下りリンク（ＵＬ−ＤＬ）設定０でない場合、
【数９６】
0006038316.tif 000102
である。ここで、
【数９７】
0006038316.tif 000103
は第１の部分におけるＤＬサブフレームの数であり、
【数９８】
0006038316.tif 000104
は第２の部分におけるＤＬサブフレームの数であり、Ｕは設定されたサービングセル間におけるＵｃの最大値を示し、Ｕｃは、受信したＰＤＳＣＨと、ｃ番目のサービングセル上の第１の部分内のサブフレームｎ−ｋにおいて、下りリンクセミパーシステントスケジューリング（ＳＰＳ）リリースを示す物理下りリンク制御チャネル（ＰＤＣＣＨ）との総数であり、第３世代パートナーシッププロジェクト（３ＧＰＰ）ロングタームエボリューション（ＬＴＥ）規格リリース１１技術仕様書（ＴＳ）３６．２１３の表１０．１．３．１−１において規定されるようにｋ∈Ｋであり、
【数９９】
0006038316.tif 000105
は、サブフレームｎ−ｋ´、ここでｋ´はＴＳ３６．２１３の表７．３−Ｙにおいて規定される、において、ＴＳ３６．２１３の表７．３−Ｚに従い、上りリンク制御情報（ＵＣＩ）がＰＵＳＣＨ上で送信されるサービングセルのＤＣＩフォーマット０または４における下りリンクアサインメントインデックス（ＤＡＩ）によって決定される。
【０１０１】
別の設定において、上りリンクグラントを運ぶサービングセルが、上りリンク−下りリンク（ＵＬ−ＤＬ）設定０であり、物理上りリンク制御チャネル（ＰＵＣＣＨ）フォーマット３が、ＨＡＲＱ−ＡＣＫの送信用に設定され、かつ、サブフレーム「ｎ」に対応するＤＣＩフォーマット０または４の、物理下りリンク制御チャネル（ＰＤＣＣＨ）が検出される場合、
【数１００】
0006038316.tif 000106
である。ここで、Ｍｃは、ＨＡＲＱ−ＡＣＫフィードバックに対するサブフレーム「ｎ」に関連付けられる、第３世代パートナーシッププロジェクト（３ＧＰＰ）ロングタームエボリューション（ＬＴＥ）規格リリース１１技術仕様書（ＴＳ）３６．２１３の表１０．１．３．１−１において規定されるようなセットｋ∈Ｋ内の要素の数であり、セットＫは、通常の下りリンクサイクリックプレフィキシング（ＣＰ）を有するＵＬ−ＤＬ設定０及び５のスペシャルサブフレームを含まず、かつ、拡張された下りリンクＣＰを有するＵＬ−ＤＬ設定０及び４のスペシャルサブフレームを含まない。そうでなければ、上りリンクグラントを運ぶサービングセルが、上りリンク−下りリンク（ＵＬ−ＤＬ）設定０であり、物理上りリンク制御チャネル（ＰＵＣＣＨ）フォーマット３が、ＨＡＲＱ−ＡＣＫの送信用に設定され、かつ、サブフレーム「ｎ」に対応するＤＣＩフォーマット０または４の、物理下りリンク制御チャネル（ＰＤＣＣＨ）が検出される場合、
【数１０１】
0006038316.tif 000107
である。ここで、セットＫは、通常の下りリンクサイクリックプレフィキシング（ＣＰ）を有するＵＬ−ＤＬ設定０または５のスペシャルサブフレームを含むか、または、拡張された下りリンクＣＰを有するＵＬ−ＤＬ設定０または４のスペシャルサブフレームを含む。
【０１０２】
別の例において、トランシーバ７２４は、第１の部分に対する、値
【数１０２】
0006038316.tif 000108
における下りリンクアサインメントインデックス（ＤＡＩ）情報を含むＤＣＩ送信において、上りリンクグラントを受信すべく、構成され得る。ここで、ＤＣＩ送信は、上りリンクグラントに用いたＤＣＩフォーマットで送信される。別の設定において、トランシーバは、上りリンクスケジューリングに対してＤＣＩによってスケジューリングされた、物理上りリンク共有チャネル（ＰＵＳＣＨ）を介して、ＨＡＲＱ−ＡＣＫコードブックをノードへ送信すべく、さらに構成され得る。
【０１０３】
別の例において、プロセッサ７２２は、ＨＡＲＱ−ＡＣＫフィードバックを用いて、幾つかの下りリンク（ＤＬ）サブフレームを含む帯域間ＴＤＤ  ＣＡに対するＨＡＲＱバンドリングウィンドウを決定し、ＨＡＲＱバンドリングウィンドウを、第1の部分及び第２の部分に分割し、第１の部分及び第２の部分、及びＤＣＩフォーマットに基づき、ＨＡＲＱ−ＡＣＫコードブックサイズを決定すべく、構成され得る。第１の部分は、上りリンクスケジューリングに対する、サービングセルの下りリンク制御情報（ＤＣＩ）送信中または送信前に起こる、物理下りリンク共有チャネル（ＰＤＳＣＨ）サブフレームに対するＨＡＲＱ−ＡＣＫフィードバックを表し、第２の部分は、ＤＣＩ送信後に起こるＰＤＳＣＨサブフレームに対するＨＡＲＱ−ＡＣＫフィードバックを表わす。
【０１０４】
図１５は、ユーザ機器（ＵＥ）、移動局（ＭＳ）、移動無線デバイス、移動通信デバイス、タブレット、ハンドセット、または他のタイプの無線デバイスなどの、無線デバイスの実例を提供する。無線デバイスは、ノード、マクロノード、低電力ノード（ＬＰＮ）、または、基地局（ＢＳ）、発展型ノードＢ（ｅＮＢ）、ベースバンドユニット（ＢＢＵ）、遠隔無線ヘッド（ＲＲＨ）、遠隔無線機器（ＲＲＥ）、中継局（ＲＳ）、無線機器（ＲＥ）、または他のタイプの無線ワイドエリアネットワーク（ＷＷＡＮ）アクセスポイントなどの送信局と通信すべく構成される、１または複数のアンテナを含み得る。無線デバイスは、３ＧＰＰ  ＬＴＥ、ＷｉＭＡＸ、高速パケットアクセス（ＨＳＰＡ）、Ｂｌｕｅｔｏｏｔｈ（登録商標）、及びＷｉＦｉ（登録商標）を含む、少なくとも１つの無線通信規格を用いて通信すべく構成され得る。無線デバイスは、各無線通信規格毎に別個のアンテナ、または複数の無線通信規格に共有のアンテナ、を用いて通信し得る。無線デバイスは、無線ローカルエリアネットワーク（ＷＬＡＮ）、無線パーソナルエリアネットワーク（ＷＰＡＮ）、及び／またはＷＷＡＮにおいて通信し得る。
【０１０５】
図１５は、無線デバイスからの音声の入出力に用いられ得る、マイク、及び、１または複数のスピーカの実例を提供する。ディスプレイ画面は、液晶ディスプレイ（ＬＣＤ）画面、または、有機発光ダイオード（ＯＬＥＤ）ディスプレイなどの、他のタイプのディスプレイ画面でもよい。ディスプレイ画面は、タッチスクリーンとして構成され得る。タッチスクリーンは、容量性技術、抵抗性技術、または別のタイプのタッチスクリーン技術を使用してもよい。アプリケーションプロセッサ及びグラフィクスプロセッサは、内部メモリに連結され得て、処理能力及びディスプレイ能力を提供する。不揮発性メモリポートはまた、ユーザに、データ入出力の選択肢を提供すべく用いられ得る。不揮発性メモリポートはまた、無線デバイスの記憶能力を拡張すべく用いられ得る。キーボードは、無線デバイスと一体化されてもよく、または無線デバイスと無線で接続されて、ユーザ入力を追加で提供してもよい。仮想キーボードもまた、タッチスクリーンを用いて提供されてもよい。
【０１０６】
さまざまな技術、または、その特定の態様または部分は、フロッピー（登録商標）ディスケット、ＣＤ−ＲＯＭ、ハードドライブ、非一時的コンピュータ可読ストレージ媒体、または他のマシン可読ストレージ媒体などの、実体のある媒体に取り込まれたプログラムコード（すなわち、命令）という形を取り得る。プログラムコードがロードされ、コンピュータなどのマシンによって実行される場合、マシンはさまざまな技術を実行する装置となる。回路は、ハードウェア、ファームウェア、プログラムコード、実行可能なコード、コンピュータ命令、及び／またはソフトウェアを含み得る。非一時的コンピュータ可読ストレージ媒体は、信号を含まないコンピュータ可読ストレージ媒体であり得る。プログラム可能コンピュータ上でプログラムコードを実行する場合、コンピューティングデバイスは、プロセッサ、プロセッサが読み出し可能なストレージ媒体（揮発性メモリ及び不揮発性メモリ、及び／またはストレージ要素を含む）、少なくとも１つの入力デバイス、及び少なくとも１つの出力デバイスを含み得る。揮発性メモリ及び不揮発性メモリ、及び／またはストレージ要素は、ＲＡＭ、ＥＰＲＯＭ、フラッシュドライブ、光学ドライブ、磁気ハードドライブ、ソリッドステートドライブ、または他の、電子データを格納する媒体であり得る。ノード及び無線デバイスは、トランシーバモジュール、カウンタモジュール、処理モジュール、及び／または、クロックモジュールまたはタイマモジュールを含みもし得る。本明細書で説明した様々な技術を実装または使用し得る、１または複数のプログラムは、アプリケーションプログラミングインタフェース（ＡＰＩ）、再利用可能制御等を使用し得る。そのようなプログラムは、高級な、手続型言語またはオブジェクト指向プログラミング言語で実装されて、コンピュータシステムと通信し得る。しかしながら、望めば、プログラムは、アセンブリまたはマシン言語で実装されてもよい。何れのケースにおいても、言語は、コンパイルされた、すなわち解釈された言語であり得て、ハードウェア実装と組み合わされ得る。
【０１０７】
本明細書で説明された機能的ユニットの多くは、その実装上の独立性を特に強調すべく、モジュールと呼ばれてきたことを理解されたい。例えば、モジュールは、カスタムＶＬＳＩ回路またはゲートアレイ、ロジックチップ、トランジスタなどのいつでも手に入る半導体、または他の別個のコンポーネントを備えるハードウェア回路として実装され得る。モジュールはまた、フィールドプログラマブルゲートアレイ、プログラマブルゲートアレイ、プログラマブルアレイロジック、プログラマブルロジックデバイスなどのプログラマブルハードウェアデバイスに実装され得る。
【０１０８】
モジュールは、様々なタイプのプロセッサまたはロジックが実行すべく、ソフトウェアに実装されてもよい。実行可能なコードの特定されたモジュールは、例えば、コンピュータ命令の、１または複数の物理的または論理的ブロックを備え、１または複数の物理的または論理的ブロックは、例えば、オブジェクト、手続き、または機能として編成され得る。それにもかかわらず、特定されたモジュールの複数の実行可能ファイルは、物理的に共に位置する必要はないが、論理的に共に結合される場合は、モジュールを構成し、モジュールに対して定められた目的を達成する、異なる位置に格納される異なる命令を備え得る。
【０１０９】
実際に、実行可能なコードのモジュールは、単一の命令、または多数の命令であり得て、幾つかの異なるコードセグメントに渡って、異なるプログラム間で、及び幾つかのメモリデバイスに渡って分散されもし得る。同様に、処理データが特定され、本明細書で図示され得て、任意の適切な形でモジュール内に取り込まれ、任意の適切なタイプのデータ構造体内で編成され得る。処理データは、１つのデータセットとして集められるか、または異なる格納デバイスを含む、異なる位置に渡って分散され得て、少なくとも部分的には、単なる電子信号として、システムまたはネットワーク上に存在し得る。モジュールは、所望の機能の実行を動作可能なエージェントを含む、パッシブモジュールでもアクティブモジュールでもよい。
【０１１０】
本明細書を通し、「ある例」と言った場合は、その例に関連する、特定の特徴、構造または特性が、本発明の少なくとも１つの実施形態に含まれることを意味する。ゆえに、本明細書を通し、様々な場所において「ある例において」という言い回しが複数見られるが、それらが全て同じ実施形態を指す必要はない。
【０１１１】
本明細書で用いられるように、複数のアイテム、構造要素、構成要素、及び／または材料は、便宜上、共通のリストに存在し得る。しかしながら、これらのリストは、リストの各部材が個々に、別個かつ特有の部材として特定される、と解釈されるべきである。ゆえに、そのようなリストの個々の部材は、共通のグループにそれらが存在するからと言って、そうではないという指示なく、同じリストの任意の他の部材の事実上の等価物であると解釈されるべきではない。加えて、本発明の様々な実施形態及び例が、それらのさまざまな構成要素に対する代替例とともに、本明細書にて参照され得る。そのような実施形態、例、及び代替例は、互いに、事実上等価であると解釈されるべきでないが、本発明の、別個かつ自発的な表現として考えられるべきであることが理解されよう。
【０１１２】
さらに、記載された特徴、構造または特性は、１または複数の実施形態において、任意の適切な方法で組み合わされ得る。以下に続く記載において、レイアウト例、距離、ネットワーク例などの数々の具体的詳細が提供されて、本発明の実施形態の完全な理解を提供する。当業者ならば、しかしながら、1または複数のその具体的詳細なしに、または他の方法、構成要素、レイアウトなどを用いて、本発明を実行し得ることが分かるであろう。他の例において、公知の構造、材料、またはオペレーションを詳細に示し、説明して、本発明の態様があいまいになるのを回避してある。
【０１１３】
上述の例は、１または複数の特定の適用における本発明の原理の例示である一方で、発明力を行使することなく、かつ、本発明の原理及び構想から逸脱することなく、形態、使用、及び実装の詳細における数々の変更が成され得ることは、当業者には明らかであろう。従って、本発明は、以下に記載する特許請求によるもの以外は、限定されることを意図しない。
（項目１）
帯域間時分割複信（ＴＤＤ）キャリアアグリゲーション（ＣＡ）のためのハイブリッド自動再送要求肯定応答コードブックサイズ（ＨＡＲＱ−ＡＣＫコードブックサイズ）を決定するユーザ機器（ＵＥ）上のコンピュータ回路であって、
ＨＡＲＱ−ＡＣＫフィードバックを用いて、幾つかの下りリンクサブフレーム（ＤＬサブフレーム）を含む帯域間ＴＤＤ  ＣＡに対するＨＡＲＱバンドリングウィンドウを決定し、
前記ＨＡＲＱバンドリングウィンドウを第１の部分及び第２の部分に分割し、
前記第１の部分及び前記第２の部分に基づき、前記ＨＡＲＱ−ＡＣＫコードブックサイズを計算する
コンピュータ回路を有し、
前記第１の部分は、サービングセル上の上りリンクスケジューリングに対する下りリンク制御情報送信（ＤＣＩ送信）が伝達される前記ＤＬサブフレームよりも前に起こる、複数の設定されたサービングセルの複数のＤＬサブフレームを含み、前記第２の部分は、前記複数の設定されたサービングセルの前記ＤＣＩ送信の後に起こる複数の物理下りリンク共有チャネル（ＰＤＳＣＨ）サブフレームを含む
コンピュータ回路。
（項目２）
物理上りリンク共有チャネル（ＰＵＳＣＨ）上の前記ＨＡＲＱ−ＡＣＫコードブックサイズは、
【数１０３】
0006038316.tif 000109
によって表され、ここで、
【数１０４】
0006038316.tif 000110
は複数の設定されたセルの数、
【数１０５】
0006038316.tif 000111
は、ＵＥが、ｃ番目のサービングセルに対してＨＡＲＱ−ＡＣＫビットをフィードバックする必要がある下りリンクサブフレームの数であり、ｃは非負整数であり、前記ｃ番目のサービングセルにおいて設定される送信モードが、１つのトランスポートブロック（ＴＢ）をサポートするか、または空間ＨＡＲＱ−ＡＣＫバンドリングが適用される場合、
【数１０６】
0006038316.tif 000112
であり、その他は、
【数１０７】
0006038316.tif 000113
である
請求項１に記載のコンピュータ回路。
（項目３）
前記上りリンクグラントを運ぶサービングセルが、上りリンク−下りリンク（ＵＬ−ＤＬ）設定０でない場合、
【数１０８】
0006038316.tif 000114
であり、ここで、
【数１０９】
0006038316.tif 000115
は、第１の部分におけるＤＬサブフレームの数であり、
【数１１０】
0006038316.tif 000116
は第２の部分におけるＤＬサブフレームの数であり、Ｕは、複数の設定されたサービングセル間におけるＵｃの最大値を示し、Ｕｃは、複数の受信したＰＤＳＣＨと、前記ｃ番目のサービングセル上の前記第１の部分内のサブフレームｎ−ｋにおいて、下りリンクセミパーシステントスケジューリング（ＳＰＳ）リリースを示す複数の物理下りリンク制御チャネル（ＰＤＣＣＨ）と、の総数であり、第３世代パートナーシッププロジェクト（３ＧＰＰ）ロングタームエボリューション（ＬＴＥ）規格リリース１１技術仕様書（ＴＳ）３６．２１３の表１０．１．３．１−１において規定されるように、ｋ∈Ｋであり、
【数１１１】
0006038316.tif 000117
は、サブフレームｎ−ｋ´、ここでｋ´はＴＳ３６．２１３の表７．３−Ｙにおいて規定される、において、ＴＳ３６．２１３の表７．３−Ｚに従い、上りリンク制御情報（ＵＣＩ）がＰＵＳＣＨ上で送信される、前記サービングセルのＤＣＩフォーマット０または４における下りリンクアサインメントインデックス（ＤＡＩ）によって決定される
請求項２に記載のコンピュータ回路。
（項目４）
前記上りリンクグラントを運ぶサービングセルが、上りリンク−下りリンク（ＵＬ−ＤＬ）設定０でない場合、
【数１１２】
0006038316.tif 000118
であり、ここで、
【数１１３】
0006038316.tif 000119
は、第１の部分におけるＤＬサブフレームの数であり、
【数１１４】
0006038316.tif 000120
は第２の部分におけるＤＬサブフレームの数であり、Ｕは、複数の設定されたサービングセル間におけるＵｃの最大値を示し、Ｕｃは、複数の受信したＰＤＳＣＨと、前記ｃ番目のサービングセル上の前記第１の部分内のサブフレームｎ−ｋにおいて、下りリンクセミパーシステントスケジューリング（ＳＰＳ）リリースを示す複数の物理下りリンク制御チャネル（ＰＤＣＣＨ）と、の総数であり、第３世代パートナーシッププロジェクト（３ＧＰＰ）ロングタームエボリューション（ＬＴＥ）規格リリース１１技術仕様書（ＴＳ）３６．２１３の表１０．１．３．１−１において規定されるように、ｋ∈Ｋであり、
【数１１５】
0006038316.tif 000121
である
請求項２に記載のコンピュータ回路。
（項目５）
前記上りリンクグラントを運ぶサービングセルが、上りリンク−下りリンク（ＵＬ−ＤＬ）設定０であり、物理上りリンク制御チャネル（ＰＵＣＣＨ）フォーマット３が、ＨＡＲＱ−ＡＣＫの送信用に設定され、かつ、サブフレーム「ｎ」に対応するＤＣＩフォーマット０または４の、物理下りリンク制御チャネル（ＰＤＣＣＨ）が検出される場合、
【数１１６】
0006038316.tif 000122
であり、ここで、Ｍｃは、ＨＡＲＱ−ＡＣＫフィードバックに対するサブフレーム「ｎ」に関連付けられる、第３世代パートナーシッププロジェクト（３ＧＰＰ）ロングタームエボリューション（ＬＴＥ）規格リリース１１技術仕様書（ＴＳ）３６．２１３の表１０．１．３．１−１において規定されるようなセットＫ内の要素の数であり、前記セットＫは、通常の下りリンクサイクリックプレフィキシング（ＣＰ）を有するＵＬ−ＤＬ設定０及び５のスペシャルサブフレームを含まず、かつ、前記セットＫは、拡張された下りリンクＣＰを有するＵＬ−ＤＬ設定０及び４のスペシャルサブフレームを含まず、
そうでなければ、前記上りリンクグラントを運ぶサービングセルが、上りリンク−下りリンク（ＵＬ−ＤＬ）設定０であり、物理上りリンク制御チャネル（ＰＵＣＣＨ）フォーマット３が、ＨＡＲＱ−ＡＣＫの送信用に設定され、かつ、サブフレーム「ｎ」に対応するＤＣＩフォーマット０または４の、物理下りリンク制御チャネル（ＰＤＣＣＨ）が検出される場合、
【数１１７】
0006038316.tif 000123
であり、ここで、前記セットＫは、通常の下りリンクサイクリックプレフィキシング（ＣＰ）を有するＵＬ−ＤＬ設定０または５のスペシャルサブフレームを含むか、または、前記セットＫは、拡張された下りリンクＣＰを有するＵＬ−ＤＬ設定０または４のスペシャルサブフレームを含む
請求項２に記載のコンピュータ回路。
（項目６）
さらに、前記第１の部分に対する、値
【数１１８】
0006038316.tif 000124
における下りリンクアサインメントインデックス（ＤＡＩ）情報を含むＤＣＩ送信において、上りリンクグラントを受信し、
前記ＤＣＩ送信は、ロングタームエボリューション（ＬＴＥ）ＤＣＩフォーマット０またはＤＣＩフォーマット４で送信される
請求項１に記載のコンピュータ回路。
（項目７）
さらに、上りリンクスケジューリングに対して前記ＤＣＩによってスケジューリングされた、物理上りリンク共有チャネル（ＰＵＳＣＨ）を介して、ＨＡＲＱ−ＡＣＫコードブックを送信する
請求項１に記載のコンピュータ回路。
（項目８）
ＨＡＲＱバンドリングウィンドウサイズＭｃを有する前記ＨＡＲＱバンドリングウィンドウは、第３世代パートナーシッププロジェクト（３ＧＰＰ）ロングタームエボリューション（ＬＴＥ）規格リリース１１技術仕様書（ＴＳ）３６．２１３の表１０．１．３．１−１において規定される前記ＨＡＲＱ−ＡＣＫフィードバックを運ぶ１つの上りリンク（ＵＬ）サブフレームに関連付けられる、１セットのＤＬサブフレームを含む
請求項１に記載のコンピュータ回路。
（項目９）
前記帯域間ＴＤＤ  ＣＡにおけるプライマリセル（ＰＣｅｌｌ）のＴＤＤ設定は、前記帯域間ＴＤＤ  ＣＡにおけるセカンダリセル（ＳＣｅｌｌ）のＴＤＤ設定とは異なる
請求項１に記載のコンピュータ回路。
（項目１０）
前記ＵＥは、アンテナ、タッチセンシティブディスプレイ画面、スピーカ、マイク、グラフィクスプロセッサ、アプリケーションプロセッサ、内部メモリ、または不揮発性メモリポートを含む
請求項１に記載のコンピュータ回路。
（項目１１）
ユーザ機器（ＵＥ）における、帯域間時分割複信（ＴＤＤ）キャリアアグリゲーション（ＣＡ）のためのハイブリッド自動再送要求肯定応答コードブックサイズ（ＨＡＲＱ−ＡＣＫコードブックサイズ）生成の方法であって、
ＨＡＲＱ−ＡＣＫフィードバックを用いて、少なくとも１つの下りリンクサブフレーム（ＤＬサブフレーム）を含む、帯域間ＴＤＤ  ＣＡに対する、物理下りリンク共有チャネルバンドリングウィンドウ（ＰＤＳＣＨバンドリングウィンドウ）を含む設定情報を受信する段階と、
前記ＰＤＳＣＨバンドリングウィンドウを、第１の部分と第２の部分と、に分割する段階と、
前記第１の部分及び前記第２の部分に基づき、前記ＨＡＲＱ−ＡＣＫコードブックサイズを生成する段階と、を備え、
前記第１の部分は、サービングセル上の上りリンクスケジューリングに対する下りリンク制御情報送信（ＤＣＩ送信）が伝達される前記ＤＬサブフレームよりも前に起こる、複数の設定されたサービングセル全ての、複数のＤＬサブフレームを含み、前記第２の部分は、前記複数の設定されたサービングセル全ての、前記ＤＣＩ送信の後に起こる複数の物理下りリンク共有チャネル（ＰＤＳＣＨ）サブフレームを含む
方法。
（項目１２）
物理上りリンク共有チャネル（ＰＵＳＣＨ）上の前記ＨＡＲＱ−ＡＣＫコードブックサイズは、
【数１１９】
0006038316.tif 000125
によって表され、ここで、
【数１２０】
0006038316.tif 000126
は複数の設定されたセルの数、
【数１２１】
0006038316.tif 000127
は、ＵＥが、ｃ番目のサービングセルに対してＨＡＲＱ−ＡＣＫビットをフィードバックする必要がある下りリンクサブフレームの数であり、ｃは非負整数であり、前記ｃ番目のサービングセルにおいて設定される送信モードが、１つのトランスポートブロック（ＴＢ）をサポートするか、または空間ＨＡＲＱ−ＡＣＫバンドリングが適用される場合、
【数１２２】
0006038316.tif 000128
であり、その他は、
【数１２３】
0006038316.tif 000129
である
請求項１１に記載の方法。
（項目１３）
前記ＤＣＩ送信が
【数１２４】
0006038316.tif 000130
値を含む場合、
【数１２５】
0006038316.tif 000131
であり、ここで、
【数１２６】
0006038316.tif 000132
は第１の部分におけるＤＬサブフレームの数であり、
【数１２７】
0006038316.tif 000133
は第２の部分におけるＤＬサブフレームの数であり、Ｕは、複数の設定されたサービングセル間におけるＵｃの最大値を示し、Ｕｃは、複数の受信したＰＤＳＣＨと、前記ｃ番目のサービングセル上の前記第１の部分内のサブフレームｎ−ｋにおいて、下りリンクセミパーシステントスケジューリング（ＳＰＳ）リリースを示す複数の物理下りリンク制御チャネル（ＰＤＣＣＨ）と、の総数であり、第３世代パートナーシッププロジェクト（３ＧＰＰ）ロングタームエボリューション（ＬＴＥ）規格リリース１１技術仕様書（ＴＳ）３６．２１３の表１０．１．３．１−１において規定されるように、ｋ∈Ｋであり、
【数１２８】
0006038316.tif 000134
は、サブフレームｎ−ｋ´、ここでｋ´はＴＳ３６．２１３の表７．３−Ｙにおいて規定される、において、ＴＳ３６．２１３の表７．３−Ｚに従い、上りリンク制御情報（ＵＣＩ）がＰＵＳＣＨ上で送信されるＤＣＩフォーマットにおける下りリンクアサインメントインデックス（ＤＡＩ）によって決定される
請求項１２に記載の方法。
（項目１４）
前記ＤＣＩ送信が
【数１２９】
0006038316.tif 000135
値を含む場合、
【数１３０】
0006038316.tif 000136
であり、ここで、
【数１３１】
0006038316.tif 000137
は第１の部分におけるＤＬサブフレームの数であり、
【数１３２】
0006038316.tif 000138
は第２の部分におけるＤＬサブフレームの数であり、Ｕは、複数の設定されたサービングセル間におけるＵｃの最大値を示し、Ｕｃは、複数の受信したＰＤＳＣＨと、前記ｃ番目のサービングセル上の前記第１の部分内のサブフレームｎ−ｋにおいて、下りリンクセミパーシステントスケジューリング（ＳＰＳ）リリースを示す複数の物理下りリンク制御チャネル（ＰＤＣＣＨ）と、の総数であり、第３世代パートナーシッププロジェクト（３ＧＰＰ）ロングタームエボリューション（ＬＴＥ）規格リリース１１技術仕様書（ＴＳ）３６．２１３の表１０．１．３．１−１において規定されるように、ｋ∈Ｋであり、
【数１３３】
0006038316.tif 000139
である
請求項１２に記載の方法。
（項目１５）
前記ＤＣＩ送信が
【数１３４】
0006038316.tif 000140
値を含まない場合、
【数１３５】
0006038316.tif 000141
であり、ここで、
【数１３６】
0006038316.tif 000142
は、ＨＡＲＱ−ＡＣＫフィードバックに対するサブフレーム「ｎ」に関連付けられる、第３世代パートナーシッププロジェクト（３ＧＰＰ）ロングタームエボリューション（ＬＴＥ）規格リリース１１技術仕様書（ＴＳ）３６．２１３の表１０．１．３．１−１において規定されるようなセットＫ内の要素の数であり、前記セットＫはＰＤＳＣＨを含まず、
【数１３７】
0006038316.tif 000143
は、第１の部分のＤＬサブフレームの数であり、
【数１３８】
0006038316.tif 000144
は、第２の部分のＤＬサブフレームの数であり、
そうでなければ、前記ＤＣＩ送信が、
【数１３９】
0006038316.tif 000145
値を含まない場合、
【数１４０】
0006038316.tif 000146
であり、ここで前記セットＫはＰＤＳＣＨを含む
請求項１２に記載の方法。
（項目１６）
前記第１の部分に対する、値
【数１４１】
0006038316.tif 000147
内に下りリンクアサインメントインデックス（ＤＡＩ）情報を含むＤＣＩ送信において、上りリンクグラントを受信する段階を、さらに含み、
前記ＤＣＩ送信は、上りリンクグラントに用いられるＤＣＩフォーマットで送信される
請求項１１に記載の方法。
（項目１７）
物理上りリンク共有チャネル（ＰＵＳＣＨ）上の、上りリンク制御情報（ＵＣＩ）における、前記生成されたＨＡＲＱ−ＡＣＫコードブックサイズと共に、前記ＰＤＳＣＨバンドリングウィンドウの複数のＰＤＳＣＨサブフレームに対するＨＡＲＱ−ＡＣＫフィードバックを送信する段階をさらに含む
請求項１１に記載の方法。
（項目１８）
請求項１１に記載の方法を実装すべくコンピュータにより実行される複数の命令を備える、少なくとも１つのプログラム。
（項目１９）
時分割複信（ＴＤＤ）キャリアアグリゲーション（ＣＡ）のためのハイブリッド自動再送要求肯定応答コードブックサイズ（ＨＡＲＱ−ＡＣＫコードブックサイズ）を計算するユーザ機器（ＵＥ）であって、
ＨＡＲＱ−ＡＣＫフィードバックを用いて、幾つかの下りリンクサブフレーム（ＤＬサブフレーム）を含む帯域間ＴＤＤ  ＣＡに対するＨＡＲＱバンドリングウィンドウを決定し、
前記ＨＡＲＱバンドリングウィンドウを、第１の部分と第２の部分と、に分割し、
前記第１の部分及び前記第２の部分、及びＤＣＩフォーマットに基づき、前記ＨＡＲＱ−ＡＣＫコードブックサイズを決定する
プロセッサを備え、
前記第１の部分は、サービングセル上の上りリンクスケジューリングに対する下りリンク制御情報送信（ＤＣＩ送信）が伝達される前記ＤＬサブフレームよりも前に起こる、複数の設定されたサービングセルの複数のＤＬサブフレームを含み、前記第２の部分は、前記複数の設定されたサービングセルの前記ＤＣＩ送信の後に起こる複数の物理下りリンク共有チャネル（ＰＤＳＣＨ）サブフレームを含む
ユーザ機器（ＵＥ）。
（項目２０）
物理上りリンク共有チャネル（ＰＵＳＣＨ）上の前記ＨＡＲＱ−ＡＣＫコードブックサイズは、
【数１４２】
0006038316.tif 000148
によって表され、ここで、
【数１４３】
0006038316.tif 000149
は複数の設定されたセルの数、
【数１４４】
0006038316.tif 000150
は、ＵＥが、ｃ番目のサービングセルに対してＨＡＲＱ−ＡＣＫビットをフィードバックする必要がある下りリンクサブフレームの数であり、ｃは非負整数であり、前記ｃ番目のサービングセルにおいて設定される送信モードが、１つのトランスポートブロック（ＴＢ）をサポートするか、または空間ＨＡＲＱ−ＡＣＫバンドリングが適用される場合、
【数１４５】
0006038316.tif 000151
であり、その他は、
【数１４６】
0006038316.tif 000152
である
請求項１９に記載のＵＥ。
（項目２１）
前記上りリンクグラントを運ぶサービングセルが、上りリンク−下りリンク（ＵＬ−ＤＬ）設定０でない場合、
【数１４７】
0006038316.tif 000153
であり、ここで、
【数１４８】
0006038316.tif 000154
は、第１の部分におけるＤＬサブフレームの数であり、
【数１４９】
0006038316.tif 000155
は第２の部分におけるＤＬサブフレームの数であり、Ｕは、複数の設定されたサービングセル間におけるＵｃの最大値を示し、Ｕｃは、複数の受信したＰＤＳＣＨと、前記ｃ番目のサービングセル上の前記第１の部分内のサブフレームｎ−ｋにおいて、下りリンクセミパーシステントスケジューリング（ＳＰＳ）リリースを示す複数の物理下りリンク制御チャネル（ＰＤＣＣＨ）と、の総数であり、第３世代パートナーシッププロジェクト（３ＧＰＰ）ロングタームエボリューション（ＬＴＥ）規格リリース１１技術仕様書（ＴＳ）３６．２１３の表１０．１．３．１−１において規定されるように、ｋ∈Ｋであり、
【数１５０】
0006038316.tif 000156
は、サブフレームｎ−ｋ´、ここでｋ´はＴＳ３６．２１３の表７．３−Ｙにおいて規定される、において、ＴＳ３６．２１３の表７．３−Ｚに従い、上りリンク制御情報（ＵＣＩ）がＰＵＳＣＨ上で送信される、前記サービングセルのＤＣＩフォーマット０または４における下りリンクアサインメントインデックス（ＤＡＩ）によって決定される
請求項２０に記載のＵＥ。
（項目２２）
前記上りリンクグラントを運ぶサービングセルが、上りリンク−下りリンク（ＵＬ−ＤＬ）設定０であり、物理上りリンク制御チャネル（ＰＵＣＣＨ）フォーマット３が、ＨＡＲＱ−ＡＣＫの送信用に設定され、かつ、サブフレーム「ｎ」に対応するＤＣＩフォーマット０または４の、物理下りリンク制御チャネル（ＰＤＣＣＨ）が検出される場合、
【数１５１】
0006038316.tif 000157
であり、ここで、Ｍｃは、ＨＡＲＱ−ＡＣＫフィードバックに対するサブフレーム「ｎ」に関連付けられる、第３世代パートナーシッププロジェクト（３ＧＰＰ）ロングタームエボリューション（ＬＴＥ）規格リリース１１技術仕様書（ＴＳ）３６．２１３の表１０．１．３．１−１において規定されるようなセットＫ内の要素の数であり、前記セットＫは、通常の下りリンクサイクリックのプレフィックス（ＣＰ）を有するＵＬ−ＤＬ設定０及び５のスペシャルサブフレームを含まず、かつ、前記セットＫは、拡張された下りリンクＣＰを有するＵＬ−ＤＬ設定０及び４のスペシャルサブフレームを含まず、
そうでなければ、前記上りリンクグラントを運ぶサービングセルが、上りリンク−下りリンク（ＵＬ−ＤＬ）設定０であり、物理上りリンク制御チャネル（ＰＵＣＣＨ）フォーマット３が、ＨＡＲＱ−ＡＣＫの送信用に設定され、かつ、サブフレーム「ｎ」に対応するＤＣＩフォーマット０または４の、物理下りリンク制御チャネル（ＰＤＣＣＨ）が検出される場合、
【数１５２】
0006038316.tif 000158
であり、ここで、前記セットＫは、通常の下りリンクサイクリックのプレフィックス（ＣＰ）を有するＵＬ−ＤＬ設定０または５のスペシャルサブフレームを含むか、または、前記セットＫは、拡張された下りリンクＣＰを有するＵＬ−ＤＬ設定０または４のスペシャルサブフレームを含む
請求項２０に記載のＵＥ。
（項目２３）
前記第１の部分に対する、値
【数１５３】
0006038316.tif 000159
における下りリンクアサインメントインデックス（ＤＡＩ）情報を含むＤＣＩ送信において、上りリンクグラントを受信するトランシーバをさらに備え、
前記ＤＣＩ送信は、上りリンクグラントに用いられたＤＣＩフォーマットで送信される
請求項１９に記載のＵＥ。
（項目２４）
上りリンクスケジューリングに対して前記ＤＣＩによってスケジューリングされた、物理上りリンク共有チャネル（ＰＵＳＣＨ）を介して、ＨＡＲＱ−ＡＣＫコードブックをノードへ送信するトランシーバをさらに備え、
前記ノードは、基地局（ＢＳ），ノードＢ（ＮＢ）、発展型ノードＢ（ｅＮＢ）、ベースバンドユニット（ＢＢＵ）、遠隔無線ヘッド（ＲＲＨ）、遠隔無線機器（ＲＲＥ）、遠隔無線ユニット（ＲＲＵ）、及び中央処理モジュール（ＣＰＭ）から成る群から選択される
請求項１９に記載のＵＥ。
（項目２５）
ユーザ機器（ＵＥ）における、帯域間時分割複信（ＴＤＤ）キャリアアグリゲーション（ＣＡ）のためのハイブリッド自動再送要求肯定応答コードブックサイズ（ＨＡＲＱ−ＡＣＫコードブックサイズ）生成の方法であって、
ＨＡＲＱ−ＡＣＫフィードバックを用いて、少なくとも１つの下りリンクサブフレーム（ＤＬサブフレーム）を含む、帯域間ＴＤＤ  ＣＡに対する、物理下りリンク共有チャネルバンドリングウィンドウ（ＰＤＳＣＨバンドリングウィンドウ）を含む設定情報を受信する段階と、
前記ＰＤＳＣＨバンドリングウィンドウを第１の部分と第２の部分とに分割する段階と、
前記第１の部分のサイズ及び前記第２の部分のサイズに基づき、前記ＨＡＲＱ−ＡＣＫコードブックサイズを生成する段階と、を備える
方法。
（項目２６）
前記第１の部分は、サービングセル上の上りリンクスケジューリングに対する下りリンク制御情報送信（ＤＣＩ送信）が伝達される前記ＤＬサブフレームよりも前に起こる、複数の設定されたサービングセル全ての、複数のＤＬサブフレームを含み、前記第２の部分は、前記複数の設定されたサービングセル全ての、前記ＤＣＩ送信の後に起こる複数の物理下りリンク共有チャネル（ＰＤＳＣＨ）サブフレームを含む
請求項２５に記載の方法。
【図１】
0006038316.tif 000211
【図２Ａ】
0006038316.tif 000212
【図２Ｂ】
0006038316.tif 000213
【図２Ｃ】
0006038316.tif 000214
【図３Ａ】
0006038316.tif 000215
【図３Ｂ】
0006038316.tif 000216
【図４】
0006038316.tif 000217
【図５】
0006038316.tif 000218
【図６】
0006038316.tif 000219
【図７】
0006038316.tif 000220
【図８Ａ】
0006038316.tif 000221
【図８Ｂ】
0006038316.tif 000222
【図９】
0006038316.tif 000223
【図１０】
0006038316.tif 000224
【図１１】
0006038316.tif 000225
【図１２】
0006038316.tif 000226
【図１３】
0006038316.tif 000227
【図１４】
0006038316.tif 000228
【図１５】
0006038316.tif 000229